【事件の表示】
　特許第６４７８３８６号発明「椅子システム」の特許異議申立事件について、次のとおり決定する。
【結　論】
　特許第６４７８３８６号の明細書及び特許請求の範囲を訂正請求書に添付された訂正明細書及び特許請求の範囲のとおり、訂正後の請求項１、２、〔３−５〕について訂正することを認める。
　特許第６４７８３８６号の請求項１，２に係る特許を維持する。
　特許第６４７８３８６号の請求項〔３−５〕に係る特許についての特許異議申立を却下する。
【理　由】
第１　手続の経緯
　特許第６４７８３８６号（以下、「本件特許」という。）の請求項１ないし５に係る特許についての出願は、平成２６年１０月１７日に出願され、平成３１年２月１５日にその特許の設定登録がされ、平成３１年３月６日に特許掲載公報が発行された。その後、請求項１、３及び５に係る特許について、令和１年６月６日に特許異議申立人佐野裕之（以下、「申立人Ａ」という。）により特許異議の申立てがされ、また、請求項１ないし５に係る特許について、令和１年９月５日に特許異議申立人佐藤義光（以下、「申立人Ｂ」という。）により特許異議の申立てがされ、当審は、令和１年１２月１７日に取消理由を通知した。特許権者は、その指定期間である令和２年２月２０日に意見書の提出及び訂正の請求（以下、「本件訂正請求」という。）を行い、その訂正の請求に対して、期間を指定して意見書を提出する機会を与えたところ、申立人Ｂは、令和２年４月２３日に意見書を提出したが、申立人Ａからは応答がなかった。
　また、当審において令和２年３月１７日付けで申立人Ａに対し審尋し、期間を指定して回答書を提出する機会を与えたが、申立人Ａからは応答がなかった。
　なお、申立人Ａ及び申立人Ｂが提出した特許異議申立書を、以下、それぞれ「申立書Ａ」及び「申立書Ｂ」という。
第２　訂正の適否
　１　訂正の内容
　本件訂正請求による訂正の内容は以下の（１）のとおりである。（下線は訂正箇所を示す。）
（１）訂正事項　
 ア　訂正事項１
　特許請求の範囲の請求項１に
「椅子と、
　前記椅子の背面側に設けられ、該椅子と反対側から立位姿勢で利用可能なカウンターと、
　前記椅子と前記カウンターとの間に、前記椅子と当接するようにして設けられた区画部と、を備え、
　前記区画部は、前記椅子の上部から前記カウンターの天板の上方に突出するように設けられるとともに、前記椅子に着座する着座者の背を支持する背凭れ部の後方に配置されていることを特徴とする椅子システム。」と記載されているのを、
「
床面上に配置される脚部に支持された座部に連結されて上方に向かって延びる背凭れ部を設けた
　前記椅子の背面側に
、床面上から立設された支持脚に支持される天板が前記背凭れ部より上方に突出するようにして
　前記椅子と前記カウンターとの間に、前記椅子
の背凭れ部
、支持脚体を床面に設置することで床面上に立設させるパネル体からなる
　前記区画部は、前記椅子の上部から前記カウンターの天板の上方に突出するように設けられるとともに、前記椅子に着座する着座者の背を支持する背凭れ部の後方に配置され
、前記椅子と第一連結部材により、また前記カウンターと第二連結部材によりそれぞれ連結され
　イ　訂正事項２
　明細書の段落【０００７】を、
「【０００７】
　上記目的を達成するために、本発明は以下の手段を採用している。
　すなわち、本発明に係る椅子システムは、
床面上に配置される脚部に支持された座部に連結されて上方に向かって延びる背凭れ部を設けた
、床面上から立設された支持脚に支持される天板が前記背凭れ部より上方に突出するようにして
の背凭れ部
、支持脚体を床面に設置することで床面上に立設させるパネル体からなる
、前記椅子と第一連結部材により、また前記カウンターと第二連結部材によりそれぞれ連結され
　ウ　訂正事項３
　特許請求の範囲の請求項２に
「椅子と、
　前記椅子の背面側に設けられ、該椅子と反対側から立位姿勢で利用可能なカウンターと、
　前記椅子と前記カウンターとの間に、前記椅子と当接するようにして設けられた区画部と、を備え、
　前記区画部は、前記椅子の上部から前記カウンターの天板の上方に突出するように設けられ、
　前記天板は、前記区画部との間に隙間を有して配置されていることを特徴とする椅子システム。」と記載されているのを、
「
床面上に配置される脚部に支持された座部に連結されて上方に向かって延びる背凭れ部を設けた
　前記椅子の背面側に
、床面上から立設された支持脚に支持される天板が前記背凭れ部より上方に突出するようにして
　前記椅子と前記カウンターとの間に、前記椅子
の背凭れ部
、支持脚体を床面に設置することで床面上に立設させるパネル体からなる
　前記区画部は、前記椅子の上部から前記カウンターの天板の上方に突出するように設けられ
るとともに、前記椅子に着座する着座者の背を支持する背凭れ部の後方に配置され、
　前記
カウンターの支持脚と
前記区画部と第二連結部材により連結されることで、
　
　ウ　訂正事項４
　明細書の段落【００１１】を、
「【００１１】
　また、本発明に係る椅子システムは、
床面上に配置される脚部に支持された座部に連結されて上方に向かって延びる背凭れ部を設けた
、床面上から立設された支持脚に支持される天板が前記背凭れ部より上方に突出するようにして
の背凭れ部
、支持脚体を床面に設置することで床面上に立設させるパネル体からなる
るとともに、前記椅子に着座する着座者の背を支持する背凭れ部の後方に配置され、
カウンターの支持脚と
前記区画部と第二連結部材により連結されることで、
　
　エ　訂正事項５
　特許請求の範囲の請求項３を削除する。
　オ　訂正事項６
　特許請求の範囲の請求項４を削除する。
　カ　訂正事項７
　特許請求の範囲の請求項５を削除する。
　２　訂正の適否
（１）訂正事項１
　ア　訂正の目的の適否について
　椅子に関して、「床面上に配置される脚部に支持された座部に連結されて上方に向かって延びる背凭れ部を設けた」椅子と具体的に限定するものであり、カウンターに関して、「床面上から立設された支持脚に支持される天板が前記背凭れ部より上方に突出するようにして」設けられと具体的に限定するものであり、区画部に関して、「椅子」の「背凭れ部」と当接するようにして設けられるとともに、「支持脚体を床面に設置することで床面上に立設させるパネル体からなる」もので、「前記椅子と第一連結部材により、また前記カウンターと第二連結部材によりそれぞれ連結されている」区画部と具体的に限定するものであるから、訂正事項１は、特許請求の範囲の減縮を目的とするものである。
　イ　実質上特許請求の範囲を拡張し、又は変更するか否かについて
　上記アで説示したように、訂正事項１は、特許請求の範囲の減縮を目的とするものであるから、実質上特許請求の範囲を拡張し、又は変更するものではない。
　ウ　願書に添付した明細書、特許請求の範囲又は図面（以下、「明細書等」という。）に記載した事項の範囲内の訂正であるか否かについて
　訂正事項１において限定した事項は、願書に添付した明細書の【００２３】【００２５】【００５４】【００５７】【００６６】【００７６】【００９１】【０１０６】【０１１７】【０１２６】【０１４２】、及び図１，２，２０に記載されており、訂正事項１は、明細書等に記載した事項の範囲内の訂正である。
　特に、図１及び図２をみると、「天板」が、「背凭れ部」より上方に位置している点、すなわち、「天板」が、上下方向において、「背凭れ部」より上に出た状態が記載されている。したがって、「天板が背凭れ部より上方に突出するようにして設けられ」た点は、明細書等に記載した事項である。
（２）訂正事項２
　訂正事項２は、訂正事項１に係る訂正に伴い、特許請求の範囲の請求項１の記載と明細書の記載との整合を図るための訂正であるから、明瞭でない記載の釈明を目的とするものである。また、明細書等に記載した事項の範囲内の訂正であり、さらに、実質上特許請求の範囲を拡張し、又は変更するものではない。
（３）訂正事項３
　ア　訂正の目的の適否について
　椅子に関して、「床面上に配置される脚部に支持された座部に連結されて上方に向かって延びる背凭れ部を設けた」椅子と具体的に限定するものであり、カウンターに関して、「床面上から立設された支持脚に支持される天板が前記背凭れ部より上方に突出するようにして」設けられと具体的に限定するものであり、区画部に関して、「椅子」の「背凭れ部」と当接するようにして設けられるとともに、「支持脚体を床面に設置することで床面上に立設させるパネル体からなる」もので、「椅子に着座する着座者の背を支持する背凭れ部の後方に配置され」る区画部と具体的に限定するものであり、「隙間」に関して、「カウンターの支持脚」と天板は、「前記区画部と第二連結部材により連結されることで、」前記区画部との間に隙間を有して配置されていると具体的に限定するものであるから、訂正事項３は、特許請求の範囲の減縮を目的とするものである。
　イ　実質上特許請求の範囲を拡張し、又は変更するか否かについて
　上記アで説示したように、訂正事項３は、特許請求の範囲の減縮を目的とするものであるから、実質上特許請求の範囲を拡張し、又は変更するものではない。
　ウ　明細書等に記載した事項の範囲内の訂正であるか否かについて
　訂正事項３において限定した事項は、願書に添付した明細書の【００２３】【００２５】【００５４】【００５７】【００６６】【０１０６】【０１１７】【０１２６】【０１４２】、及び図１，２，２０、２２〜２５に記載されており、訂正事項３は、明細書等に記載した事項の範囲内の訂正である。
　特に、図１及び図２をみると、「天板」が、「背凭れ部」より上方に位置している点、すなわち、「天板」が、上下方向において、「背凭れ部」より上に出た状態が記載されている。したがって、「天板が背凭れ部より上方に突出するようにして設けられ」た点は、明細書等に記載した事項である。 
（４）訂正事項４
　訂正事項４は、訂正事項３に係る訂正に伴い、特許請求の範囲の請求項２の記載と明細書の記載との整合を図るための訂正であるから、明瞭でない記載の釈明を目的とするものである。また、明細書等に記載した事項の範囲内の訂正であり、さらに、実質上特許請求の範囲を拡張し、又は変更するものではない。
（５）訂正事項５
　訂正事項５は、請求項３を削除するものであり、特許請求の範囲の減縮を目的とするものであって、明細書等に記載した事項の範囲内の訂正であり、また、実質上特許請求の範囲を拡張し、又は変更するものではない。
（６）訂正事項６
　訂正事項６は、請求項４を削除するものであり、特許請求の範囲の減縮を目的とするものであって、明細書等に記載した事項の範囲内の訂正であり、また、実質上特許請求の範囲を拡張し、又は変更するものではない。
（７）訂正事項７
　訂正事項７は、請求項５を削除するものであり、特許請求の範囲の減縮を目的とするものであって、明細書等に記載した事項の範囲内の訂正であり、また、実質上特許請求の範囲を拡張し、又は変更するものではない。
　ケ　一群の請求項について　訂正前の請求項４及び５は、いずれも訂正前の請求項３を引用するものであって、上記訂正事項５による請求項３の訂正により連動して訂正されるものであるから、訂正前の請求項３乃至５に対応する訂正後の請求項３乃至５は一群の請求項である。
　４　小括
　したがって、上記訂正請求による訂正事項１〜７は、特許法第１２０条の５第２項ただし書第１及び３号に掲げる事項を目的とするものであって、かつ、同条第９項で準用する同法第１２６条第５項、第６項の規定に適合するので、訂正後の請求項１，２，［３〜５］について訂正を認める。
第３　訂正後の本件発明
　本件訂正請求により訂正された請求項１乃至２に係る発明（以下、それぞれの発明を「本件発明１」等といい、全体を「本件発明」という。）は、訂正特許請求の範囲の請求項１乃至２に記載された次の事項により特定されるとおりのものである。
「【請求項１】
　床面上に配置される脚部に支持された座部に連結されて上方に向かって延びる背凭れ部を設けた椅子と、
　前記椅子の背面側に、床面上から立設された支持脚に支持される天板が前記背凭れ部より上方に突出するようにして設けられ、該椅子と反対側から立位姿勢で利用可能なカウンターと、
　前記椅子と前記カウンターとの間に、前記椅子の背凭れ部と当接するようにして設けられ、支持脚体を床面上に設置することで床面上に立設させるパネル体からなる区画部と、を備え、
　前記区画部は、前記椅子の上部から前記カウンターの天板の上方に突出するように設けられるとともに、前記椅子に着座する着座者の背を支持する背凭れ部の後方に配置され、前記椅子と第一連結部材により、また前記カウンターと第二連結部材によりそれぞれ連結されていることを特徴とする椅子システム。
　【請求項２】
　床面上に配置される脚部に支持された座部に連結されて上方に向かって延びる背凭れ部を設けた椅子と、
　前記椅子の背面側に、床面上から立設された支持脚に支持される天板が前記背凭れ部より上方に突出するようにして設けられ、該椅子と反対側から立位姿勢で利用可能なカウンターと、
　前記椅子と前記カウンターとの間に、前記椅子の背凭れ部と当接するようにして設けられ、支持脚体を床面上に設置することで床面上に立設させるパネル体からなる区画部と、を備え、
　前記区画部は、前記椅子の上部から前記カウンターの天板の上方に突出するように設けられるとともに、前記椅子に着座する着座者の背を支持する背凭れ部の後方に配置され、
　前記カウンターの支持脚と天板は、前記区画部と第二連結部材により連結されることで、前記区画部との間に隙間を有して配置されていることを特徴とする椅子システム。」
第４　取消理由通知に記載した取消理由について
　１　取消理由の概要
　本件請求項１乃至５に係る特許に対して令和１年１２月１７日付けで特許権者に通知した取消理由の要旨は、次のとおりである。
（１）本件発明１は、刊行物１に記載された発明、引用例１に掲載された発明、引用例３に掲載された発明であるか、刊行物１に記載された発明、引用例１に掲載された発明、引用例３に掲載された発明、刊行物２に記載された発明の何れかの発明及び周知技術に基いて、当業者が容易に発明をすることができたものであり、
（２）本件発明２は、引用例３に掲載された発明であるか、刊行物１に記載された発明、引用例１に掲載された発明、引用例３に掲載された発明、刊行物２に記載された発明の何れかの発明及び周知技術に基いて、当業者が容易に発明をすることができたものであり、
（３）本件発明３は、刊行物１に記載された発明、引用例１に掲載された発明、引用例３に掲載された発明、刊行物２に記載された発明であるか、刊行物１に記載された発明、引用例１に掲載された発明、引用例３に掲載された発明、刊行物２に記載された発明の何れかの発明及び周知技術に基いて、当業者が容易に発明をすることができたものであり、
（４）本件発明４は、刊行物２に記載された発明であるか、刊行物１に記載された発明、引用例１に掲載された発明、引用例３に掲載された発明、刊行物２に記載された発明の何れかの発明及び周知技術に基いて、当業者が容易に発明をすることができたものであり、
（５）本件発明５は、刊行物１に記載された発明、引用例１に掲載された発明、引用例３に掲載された発明であるか、刊行物１に記載された発明、引用例１に掲載された発明、引用例３に掲載された発明、刊行物２に記載された発明の何れかの発明及び周知技術に基いて、当業者が容易に発明をすることができたものである。
 ＜刊行物＞
　刊行物１：米国意匠特許発明第６７７４７７号公報（申立書Ａの甲第１号　　　　　　証） 　　　
　刊行物２：欧州特許出願公開第１４７０７７３（申立書Ｂの甲第２号証）
　刊行物３：特許第５３０５９４７号公報（申立書Ｂの甲第３号証） 　　
　刊行物４：特許第４７５０４０４号公報（申立書Ｂの甲第４号証） 　　
　刊行物５：実用新案登録第２５５６４３２号公報（申立書Ｂの甲第１３号　　　　　　証）　　　
　刊行物６：NEW OFFICE ニューオフィス　AUTUMN，一般社団法人ニューオ　　　　　　フィス推進協会、平成２６年１月発行、Ｎｏ．１９５、１７　　　　　　　４頁（申立書Ｂの甲第１４号証） 　　　
　刊行物７：NEW OFFICE ニューオフィス　AUTUMN，一般社団法人ニューオ　　　　　　フィス推進協会、平成２６年１月発行、Ｎｏ．１９５、５５　　　　　　　，５９頁（申立書Ｂの甲第１５号証） 　　　
　刊行物８：NEW OFFICE ニューオフィス　AUTUMN，一般社団法人ニューオ　　　　　　フィス推進協会、平成２６年１月発行、Ｎｏ．１９５、１８　　　　　　　４頁（申立書Ｂの甲第１６号証） 　　　
　刊行物９：NEW OFFICE ニューオフィス　AUTUMN，一般社団法人ニューオ　　　　　　フィス推進協会、平成２３年１２月１５日発行、Ｎｏ．１９　　　　　　　２、３８、３９頁（申立書Ｂの甲第１７号証） 
　＜引用例＞
　引用例１：表題が「QE Furniture Solutions」であり、　　　　　　　　　　　　　　下記URLで掲載内容が示されるウエブページ。　　　　　　　　　　　　（申立書Ａの甲第２号証）　
　　　　　　「URL:http://www.qufurnituresolutions.com/2011/06agati-3-products-time-neocom-2011/」
　引用例２：表題が「Open Learning」であり、
　　　　　　下記URLで掲載内容が示されるウェブページ。　　　　　　　　　　　　（申立書Ｂの甲第１−１号証）
　　　　　　「URL:https://web.archive.org/web/20140304035744/https//:www.spaceoasis.com/education/open-learning/」
　引用例３：表題が「Seminario Range」であり、
　　　　　　下記URLで掲載内容が示されるウェブページ。　　　　　　　　　　　　（申立書Ｂの甲第１−２号証）
　　　　　　「URL:https://web.archive.org/web/20140309111610/https//:www.spaceoasis.com/product-range/pods-screens/seminario/」
　
　引用例２及び引用例３は、ウェイバックマシンを利用して、ＵＲＬが「https//:www.spaceoasis.com/education/open-learning/」及び「https//:www.spaceoasis.com/product-range/pods-screens/seminario/」であるウェブページをそれぞれ検索し、その結果を印刷したものと認められる。
　そして、引用例２については、ＵＲＬを「https//:www.spaceoasis.com/education/open-learning/」とするウェブページが２０１４年３月４日に、引用例２に記載されている状態で収集された（保存された）ことを示し、引用例３については、ＵＲＬを「https//:www.spaceoasis.com/product-range/pods-screens/seminario/」とするウェブページが、２０１４年３月９日に、引用例３に記載されている状態で収集された（保存された）ことを示しているということができる。
　したがって、引用例２に記載の事項が公衆に利用可能となった時期は、本件出願前である２０１４年３月４日以前であり、また、引用例３記載の事項が公衆に利用可能となった時期は、本件出願前である２０１４年３月９日以前であると認められる。
　
　一方、引用例１（申立人Ａが提出した甲第２号証）について、当審は、申立人Ａに対して審尋し、Ｗｅｂサイトにおいて２０１１年６月１３日（もしくは、本件特許出願前）に掲載されたことを裏付ける証拠の提出を要請したところ、応答がなかった。また、上記のことを裏付ける証拠は他にはない。
　よって、引用例１に記載の事項が公衆に利用可能となった時期は、引用例１に記載の「２０１１年６月１３日」である、もしくは、本件特許出願前であるということができない。
　したがって、引用例１に記載の事項は、本件特許出願前に電気通信回線を通じて公衆に利用可能となったものであるとは認められない。
　
　２　刊行物及び引用例について
 （１）刊行物１
 　ア　刊行物１に記載の事項
 （ア）１頁の（５４）の項目
「SEAT AND DESK UNIT」
（上記摘記箇所に対応する、令和１年６月６日付けで申立人から提出された申立書に添付された「甲第１号証の要部和訳」を援用して併記する、以下同じ。）
「座席及び机のユニット」
（イ）１頁の（５７）の項目　
「CLAIM
　The ornamental design for an seat and desk unit, as shown and described. 
　DESCRIPTION
　FIG.1 is a front perspective view of the seat and desk unit of the present invention;
　FIG.2 is a front elevation view of the seat and desk unit of the present invention, the rear elevation view being a mirror image thereof;　　・・・・」
「請求の範囲
　図示して説明されているように、座席および机のユニットの装飾デザインである。
　図面の説明
　図１は、本発明の座席及び机ユニットの正面斜視図である。
　図２は、本発明の座席及び机ユニットの正面図であり、後面図はその鏡像である。　　・・・・」
（ウ）図面
　ａ　ＦＩＧ．１　
　「
　　　　　　　　　                               　」
　ｂ　ＦＩＧ．２
　「
　　　　　　　　                              　　」
　
　なお、上記図面中の「１→」、「Ｓ→」等の数字ないし記号による指示は、申立人Ａが記入したものであり、刊行物１発明の認定には考慮していない。 
　上記ＦＩＧ．１及びＦＩＧ．２から以下の点が看て取れる。
 ａ　
座席と机のユニットにおいて、
　
前面に空間を有するとともに、利用者が着座する部分と、着座する部分に連結されて上方に延びる利用者の背を支持する部分を有する円弧状の座席と、
　
当該円弧状の座席の利用者の背を支持する部分の外側に沿うとともに、その下端が円弧状の座席の下端とが同じ高さにあって、円弧状の座席の外側に取り付けられていて、円弧状の座席を囲むように立設された円弧状の板状体（以下、「円弧状立設板状体」という。）と、
　
当該円弧状立設板状体の外側おいて、外側にむかって延びた略水平の部分を有する円弧状の構造体（以下、「円弧状構造体」という。）と、を備え、
円弧状構造体の円弧状の座席とは反対側に空間を有している点。
 ｂ　
円弧状の座席の利用者が着座する部分が、脚部により支持されている点。
 ｃ　
円弧状立設板状体が、２枚、並んだ状態で配置されている点。
 ｄ　
円弧状立設板状体の上端が、座席の背を支持する部分の上端、及び、円弧状構造体の略水平の部分の上面よりも上方に位置している点。
 ｅ　
円弧状構造体の略水平の部分が、利用者の背を支持する部分より上方に位置している点。
　イ　刊行物１に記載された発明
　上記ア（ア）ないし（ウ）からみて、刊行物１には、次の発明（以下、「刊行物１発明」という。）が記載されていると認められる。
（刊行物１発明）
「座席と机のユニットにおいて、
　前面に空間を有するとともに、利用者が着座する部分と、着座する部分に連結されて上方に延びる利用者の背を支持する部分を有する円弧状の座席と、
　当該円弧状の座席の利用者の背を支持する部分の外側に沿うとともに、その下端が円弧状の座席の下端とが同じ高さにあって、円弧状の座席の外側に取り付けられていて、前記円弧状の座席を囲むように立設された円弧状立設板状体と、
　当該円弧状立設板状体の外側において、外側にむかって延びた略水平の部分を有する円弧状構造体と、を備え、
　円弧状構造体の前記円弧状の座席とは反対側に空間を有しており、
　前記円弧状の座席の利用者が着座する部分が、脚部により支持されており、
　前記円弧状立設板状体が、２枚、並んだ状態で配置され、
　前記円弧状立設板状体の上端が、前記円弧状の座席の利用者の背を支持する部分の上端、及び、前記円弧状構造体の略水平の部分の上面よりも上方に位置しており、
　円弧状構造体の略水平の部分が、利用者の背を支持する部分より上方に位置している、
　座席と机のユニット。」
（２）刊行物２
　ア　刊行物２に記載の事項
　刊行物２には、以下の事項が記載されている。
（翻訳は申立人Ｂが提出した甲第２号証の抄訳を援用した。下線は当決定で付した。） 
（ア）「【０００１】
The present invention relates to an improved furniture system. In particular, the furniture system may be used to produce items of furniture for use in an office environment or the like.
【０００２】However, due to these difficulties many so-called modular systems are no more than a collection of separate items of furniture that may permit of different arrangements when placed together. It is an object of the present invention to provide for a truly modular furniture system in which a number of different items of furniture may be constructed from similar or common parts.
【０００３】According to a first aspect of the present invention, 
a modular furniture system comprises a plurality of panel members, at least one panel member having a curvature, a plurality of end pieces adapted to be located between and secured to adjacent panel members,
【０００４】This has as an advantage that the curvature enhances the overall strength of an item of furniture produced from the system.・・・・
【００１３】According to a second aspect of the invention an item of furniture is produced according to the system of the first aspect of the invention.」
（翻訳）
「【0001】
　
本発明は改良された家具システムに関する。特に、家具システムは、オフィス環境などで使用するための家具を製造するのに使用されてもよい。
【0002】
　しかしながら、これらの問題のために、多くのいわゆるモジュール式システムは、一緒に配置されたときに異なる配置を可能にすることができる別々の家具の集ま引こすぎない。本発明の目的は、多数の異なるアイテムの家具を類似または共通の部品から構成することができる真にモジュール式の家具システムを提供することである。
【0003】
　本発明の第１の態様によれば、
モジュール式家具システムは、複数のパネル部材と、曲率を有する少なくとも１つのパネル部材と、隣接するパネル部材間に配置され固定されるようになった複数の端部片（End pieces）とを備え、
【0004】
　これは、曲率がシステムから製造される家具のアイテムの全体的な強度を高めるという利点を有する。
　・・・・
【0013】
　本発明の第２の態様によれば、家具のアイテムは、本発明の第１の態様のシステムに従って製造される。」
（イ）「【００１４】The invention will now be described, by way of example only, with reference to the accompanying drawings, in which:-  Figure 1 shows in section adjacent panel members secured to an end piece according to a first embodiment of the present invention;
　Figure 2 shows in section adjacent panel members partially secured to an end piece;
　Figure 3 shows a side view of an end piece and a plurality of fixing means;
　Figure 3a shows a side shelf member for attachment to the end piece of Figure 3;
　Figure 4 shows a suitable fixing member;
　Figure 5 shows a plan view of a fixing blade secured to a first and second panel members;
　
Figure 6 shows a side view of a fixing blade and desktop;
　Figure 7 shows a side section of a shelf unit connected to a fixing blade; 
　
Figure 8 shows a side view of a seat unit and seat back;
　Figure 9 shows somewhat schematically in section a number of different arrangements illustrating possible combinations of the furniture system according to the present invention; 
　Figure 10 shows somewhat schematically in section a number of additional different arrangements illustrating possible combinations of the furniture system according to the present invention; 
　Figure 11 shows somewhat schematically in section a number of further different arrangements illustrating possible combinations of the furniture system according to the present invention;
　Figure 12 shows a detail of an end piece in accordance with a second embodiment of the present invention; 
　Figure 13 shows an alternative form of a fixing lug, in particular for use with the second embodiment of the invention; and 
　Figure 14 shows an alternative form of a blade for use, in particular, with the second embodiment of the invention. 」
（翻訳）
「【0014】本発明は、添付の図面を参照して、ほんの一例として説明される。
　図１　本発明の第１の実施形態による端部片に固定された隣接するパネル部材の断面図である。
　図２　端部片に部分的に固定された隣接するパネル部材を断面で示す図である。
　図３　端部片と複数の固定手段の側面図である。
　図３ａ図３の端部片に取り付けるための側部棚部材を示す図である。
　図４　適切な固定部材を示す図である。
　図５　第１および第２のパネル部材に固定された固定ブレードの平面図である。
　
図６　固定ブレードおよびデスクトップの側面図である。
　図７　固定ブレードに接続された棚ユニットの側面図である。
　
図８　座席ユニットおよび背もたれの側面図である。
　図９　本発明による家具システムの可能な組み合わせを示すいくつかの異なる配置を断面で幾分概略的に示す。
　図１０　本発明による家具システムの可能な組み合わせを示すいくつかの追加の異なる配置を断面で幾分概略的に示す。
　図１１　本発明による家具システムの可能な組み合わせを示すいくつかのさらに異なる配置を断面で幾分概略的に示す。
　図１２　本発明の第２の実施形態による端部片の詳細図である。
　図１３　特に本発明の第２の実施形態と共に使用するための、固定ラグの代替形態を示す図である。
　図１４　特に本発明の第２の実施形態と共に使用するためのブレードの代替形態を示す図である。」
（ウ）「【００１５】
Referring first to Figure 1 there may be seen a furniture arrangement formed in accordance with a first embodiment of the present invention comprising adjacent first and second panel members 2,4 secured to an end piece 6. Each of the first and second panel members 2,4 can be seen to possess a curvature. On each side of the first and second panel members 2,4 a furniture component 8 is secured to the end piece 6 by a fixing member 10. The end piece 6 is provided with first and second outwardly extending flange members 12. Each of the first and second panel members 2,4 is secured to a respective outwardly extending flange member 12 by secondary fixings 14.
　・・・・
【００１７】Each end of the respective first and second panel members 2,4 is provided with a channel 16. The channel 16 comprises a first part 18 and a second part 20, the first part 18 adapted to receive a thickness of the end piece 6 and the second part 20 adapted to receive the at least one flange member 12 of the end piece 6. In the preferred embodiment, the channel 16 is formed as a routed rebated slot.
・・・・
【００２３】The slots 34 are adapted to be engaged by the fixing members 10. Figure 3b shows a furniture component 8 in the form of a side shelf member 40 having two fixing members 10 extending from a rear surface. The fixing members 10 are arranged on the side shelf member 40 at suitable intervals to fit into corresponding vertical slots 34. The side shelf member 40 has a plurality of parallel fixing points 41 to which the ends of a suitable member may be fixed to provide a shelf. By fixing a side shelf member 40 at each end of a panel member 2,4 a plurality of shelf elements (each having a rear surface of curvature matching that of the panel member against which the shelf element is adjacent) may then be secured between the side shelf members to form a shelf unit.
・・・・
【００２７】Figure 6 shows a desktop 44 to blade fixing 42 detail in which it can be seen that following attachment of the blade fixing 42 to an end piece 6 at each end of a panel member 2, 4 of the furniture system the desktop 44 need only be lowered into position and then fixed to the blade fixing 42 at suitable fixing points 41. In use, the desktop 44 bears onto the blade fixing 42. The blade fixing 42 may additionally be provided with an aperture 56 to serve as a cable guide. Additionally, or alternatively, recesses may be formed in the edge of a desktop 44 to serve as a cable guide.
・・・・
【００３０】In Figure 8 a blade fixing 42 can be seen, together with the fixing members 10 extending rearwardly therefrom. A seat 46 is shown in position on the blade fixing 42. Above the seat 46 can seen a seat back 48, again having a fixing member 10 extending from the rear thereof.
・・・・
【００３２】Figure 10 shows a second arrangement of furniture produced in accordance with the present furniture system. To the left,
 a set of panel members of intermediate height have been used to construct a seating unit 66 to one side of the panel members and a desk unit 68 to the other. 
【００３３】Figure 11 shows a third arrangement of furniture produced in accordance with the present furniture system. To the left a relatively high set of panel members have been used to provide a tall bookcase 70 to one side of the panel members and a desk unit 68 to the other. To the right, a relatively high set of panel members have been used to construct a tall bookcase 70 to one side of the panel members and a desk unit 68 and upper shelf unit to the other.
 In the desk unit to the right the desktop 44 does not extend to the panel member but is spaced in relation thereto. 
【００３４】Figures 9, 10 and 11 illustrate the versatility of the modular furniture system provided for by the invention. 
It will be understood that the furniture system may also use panel members without a curvature in constructing a furniture module, but that in order to provide appropriate strength and rigidity at least one, and preferably more, panel members having a curvature should be used.
（翻訳）
「【0015】
　
まず図１を参照すると、端部片６に固定された隣接する第１および第２のパネル部材２、４を含む、本発明の第１の実施形態に従って形成された家具配置が見られる。第１および第２のパネル部材２、４は湾曲を有するように見ることができる。第１および第２のパネル部材２、４の両側には、家具部品８が固定部材１０によって端部片６に固定されている。端部片６には、外側に延びる第１および第２のフランジ部材１２が設けられている。第１及び第２のパネル部材２、４は、第２の固定部１４によってそれぞれ外側に延びるフランジ部材１２に固定されている。
・・・・
【0017】
　第１および第２のパネル部材２、４のそれぞれの端部にはチャネル１６が設けられている。チャネル１６は第１の部分１８および第２の部分２０を含み、第１の部分１８は端部片６の厚さを受けるようになっており、第２の部分２０は、端部片６の少なくとも一つのフランジ部材１２を受けるようになっている。好ましい実施形態では、チャネル１６はルーテッドリベートスロットとして形成されている。
・・・・
【0023】
　スロット３４は、固定部材１０と係合するようになっている。図３ｂは、背面から延びる２つの固定部材１０を有する側部棚部材（side shelf member）４０の形態の家具構成要素８を示す。固定部材１０は、対応する垂直スロット３４に嵌合するように適切な間隔で側部棚部材４０上に配置される。側部棚部材４０は、棚を提供するために適切な部材の端部が固定され得る複数の平行な固定点４１を有する。パネル部材２、４の各端部に側部棚部材４０を固定することにより、複数の棚要素（各々が、棚要素が隣接するパネル部材の曲率に一致する曲率の背面を有する）が、棚ユニットを形成するために側部棚部材の間に固定される。
・・・・
【0027】
　図６は、デスクトップ４４のブレード固定部４２への詳細を示しており、家具システムのパネル部材２、４の各端部の端部片６へのブレード固定部４２の取り付けがみられる。デスクトップ４４は、所定の位置に下げてから、適切な固定点４１でブレード固定部４２に固定される。使用中、デスクトップ４４は、ブレード固定部４２に当接する。ブレード固定部４２は、ケーブルガイドとして機能する開口部５６をさらに備えることができる。追加的または代替的に、デスクトップ４４の縁部に凹部を形成して、ケーブルガイドとして機能させることができる。
・・・・
【0030】
　図８では、そこから後方に延びる固定部材１０と共にブレード固定部４２が示されている。シート４６がブレード固定部４２上の所定の位置に示されている。シート４６の上方には背もたれ４８が見え、これもまたその後部から延びる固定部材１０を有する。
・・・・
【0032】
　図１０は、本家具システムに従って製造された家具の第２の配置を示す。左側では、
中間の高さの一組のパネル部材を使用して、パネル部材の一方の側に座席ユニット６６を、他方の側にデスクユニット６８を構成している。
【0033】
　図１１は、本家具システムに従って製造された家具の第３の配置を示す。左側では、比較的高い組のパネル部材を使用して、パネル部材の一方の側に背の高い本棚７０を、他方の側にデスクユニット６８を設けている。右側では、比較的高い組のパネル部材を使用して、パネル部材の一方の側に背の高い本棚７０を、他方の側にデスクユニット６８と上の棚ユニットを組み立てている。
右側のデスクユニットでは、デスクトップ４４はパネル部材まで延びておらず、それに対して間隔を置いて配置されている。
【0034】
　図９、１０および１１は、本発明によって提供されるモジュール式家具システムの汎用性を示す。家具システムはまた、
家具モジュールを構築する際に曲率のないパネル部材を使用してもよいが、適切な強度と剛性を提供するために、曲率を有する少なくとも１つ、好ましくはそれ以上のパネル部材を使用する
（エ）図面
　ａ　図１
　「
　
　　　　　　　　　　　　　　　　　　　　　       」　
　上記図１から、以下の点が看て取れる。
（ａ）第１のパネル部材２及び第２のパネル部材４の端部にそれぞれチャネル１６が形成され、各チャネル１６が対向することにより形成された空間に端部片６が配置されている点。
（ｂ）第１のパネル部材２及び第２のパネル部材４が、端部片６と、第２の固定部１４とを用いて接続されている点。
（ｃ）家具部品８が、接続された第１のパネル部材２及び第２のパネル部材４の両側にあり、家具部品８が、第１のパネル部材２と第２のパネル部材４が対向する部位の両側において、第１のパネル部材２及び第２のパネル部材４の端部に跨がるように当接している点。
（ｄ）端部片６と固定部材１０と家具部品８が連結されている点。
　ｂ　図３，３ａ
　「
　　　　　　　　　　　　　　　　　　　　         　」
　ｃ　図６
　「
　
　　　　　　　　　　　　　　　　　      　　　　」
　上記図６から、デスクトップ４４及びブレード固定部４２の部品がある点、及び、ブレード固定部４２に固定部材１０が連結されている点が看て取れる。
　ｄ　図８
　「
　　　　　　　　　　　　　　　　　　     　　　」
　上記図８から、背もたれ４８、シート４６及びブレード固定部４２がある点、並びに、ブレード固定部４２及び背もたれ４８の各々に、固定部材１０が連結されている点が看て取れる。
　ｅ　図１０
　「
　　　　　　　　　　　　　　　　　　　　　        」
　上記図１０の左の部分から、以下の点が看て取れる。
（ａ）
略中央で上下方向に設けられた部材と、座席ユニット６６と、デスクユニット６８とを備えた家具システムにおいて、上下方向に設けられた部材が、座席ユニット６６とデスクユニット６８との間に設けられるとともに、座席ユニット６６と当接するように設けられており、さらに略中央で上下方向に設けられた部材、座席ユニット６６及びとデスクユニット６８の各下端が床面に載っている点。
（ｂ）
デスクユニット６８において、座席ユニット６６がある側とは反対側に空間が形成されている点。
（ｃ）
家具システムの前記上下方向に設けられた部材が、デスクユニット６８の上面の上方に突出するように構成されているとともに、デスクユニット６８の上面が、座席ユニットの上面より上方に位置している点。
　ｆ　図１１
　「
　　　　　　　　　　　　　　　　　　　　           」
　上記図１１の左の部分から、デスクユニット６８にデスクトップ４４が含まれており、当該デスクトップ４４が、略中央で上下方向に設けられた部材まで延びておらず、当該部材に対して間隔を置いて配置されている点が看て取れる。
（オ）上記（ウ）及び上記（エ）ｅ（ｃ）からいえること。
　上記（ウ）の段落【００３２】における、図１０についての「中間の高さの一組のパネル部材を使用して、パネル部材の一方の側に座席ユニット６６を、他方の側にデスクユニット６８を構成している」との記載と、上記（エ）ｅ（ｃ）で示す図１０について「前記上下方向に設けられた部材が、デスクユニット６８の上面の上方に突出するように構成されている」といえることから、同図１０の左の部分に看て取れる略中央で上下方向に設けられた部材が、パネル部材であるといえる。
　さらに、上記のことを踏まえれば、図１０の左の部分に示された家具システムにおいて、パネル部材が、座席ユニット６６とデスクユニット６８との間に設けられるとともに、座席ユニット６６と当接するように設けられているといえるとともに、パネル部材がデスクユニット６８の上面の上方に突出しているともいえる。
（カ）上記（ウ）及び上記（エ）ｄからいえること。
　上記（ウ）の段落【００１４】には、「図８　座席ユニットおよび背もたれの側面図である。」と記載されていることから、（エ）ｄで説示した背もたれ４８ではないものが座席ユニットであるといえるので、座席ユニットは、背もたれ４８以外の「シート４６」と「ブレード固定部４２」を有しているものといえる。なお、「固定部材１０」は、家具部品８を端部片に６に固定するものであるから、座席ユニットに含まれないことは明らかである。
　そして、上記（エ）ｄで説示した「座席ユニット６６」の構成要素をみると、図８に示された「シート４６」及び「ブレード固定部４２」に対応する部品を含んでいるといえる。
　したがって、「座席ユニット６６」は、「シート４６」及び「ブレード固定部４２」を有しているものといえる。
（キ）上記（ウ）並びに上記（エ）ｆ，ｅ及びｃからいえること。
　上記（ウ）の段落【００３３】には、図１１に関して「右側のデスクユニットでは、デスクトップ４４はパネル部材まで延びておらず」と記載されていることから、（エ）ｆで示す図１１において、「４４」で指示されるものがデスクトップである。また、同図１１では、６８で指示されるものが「デスクユニット」としていることから、「デスクユニット６８」は、「デスクトップ４４」を有しているといえる。また、同図１１のデスクトップを下から支持する部品は、「デスクトップ６８」に包含されると認めれられるとともに、（エ）ｃで示した「デスクトップ４４」が固定される「ブレード固定部４２」に対応するから、「デスクトップ６８」は、「ブレード固定部４２」を有しているといえる。したがって、図１１の「デスクユニット６８」は、「デスクトップ４４」及び「ブレード固定部４２」を有しているといえる。
　そして、同図１１の「デスクユニット６８」と、（エ）ｅで示す図１０の「デスクユニット６８」は、同じ番号「６８」で示されるとともに、「デスクユニット６８」を、パネル部材に対して取り付ける向きが反対であること、パネル部材に対して間隔を置いて配置すること以外同じであるから、図１０の「デスクトップ６８」も同様に、「デスクトップ４４」及び「ブレード固定部４２」を有しているといえる。
（ク）上記（ウ）及び上記（エ）ｆからいえること。
　上記（ウ）の段落【００３３】における、図１１についての「右側のデスクユニットでは、デスクトップ４４はパネル部材まで延びておらず、それに対して間隔を置いて配置されている。この空間は、・・・」との記載と、上記（エ）ｆの「当該デスクトップ４４が、略中央で上下方向に設けられた部材まで延びておらず、当該部材に対して間隔を置いて配置されている」といえることから、図１１の左の部分には、パネル部材２、４に対してデスクトップ４４が間隔をおいて配置されているといえる。
（ケ）上記（エ）ａ、ｃ、ｄ及びｅからいえること。
　上記（エ）ａの図１で示される、パネル部材２及びパネル部材４が対向する部位の両側の、固定部材１０に接続される「家具部品８」は、同ｃ及びｄで示される「固定部材１０」と「ブレード固定部４２」との連結状況、同ｅで示されるパネル部材が、座席ユニット６６とデスクユニット６８との間に設けられる状況からみて、「ブレード固定部４２」に対応する部品であることは明らかである。
（コ）上記（エ）ｅ（ａ）、（オ）、（カ）、（キ）よりいえること。
　上記パネル部材の下端と、座席ユニット６６のブレード固定部４２の下端と、デスクユニット６８のブレード固定部４２の下端が床面に載っているといえる。
　イ　刊行物２に記載された発明
　上記ア（ア）ないし（コ）からみて、刊行物２には、次の発明（以下、「刊行物２発明」という。）が記載されていると認められる。
（刊行物２発明）
「オフィス環境などで使用するための家具システムにおいて、
　パネル部材と、座席ユニット６６と、デスクユニット６８と、を備えており、
　前記パネル部材が、前記座席ユニット６６と前記デスクユニット６８との間に設けられるとともに、前記座席ユニット６６と当接するように設けられており、
　前記デスクユニット６８において、前記座席ユニット６６がある側とは反対側に空間が形成されており、
　前記パネル部材が、前記デスクユニット６８の上面の上方に突出するように構成されているとともに、前記デスクユニット６８の上面が、前記座席ユニット６６の上面より上方に位置しており、
　前記座席ユニット６６は、シート４６及びブレード固定部４２を有し、
　前記デスクユニット６８は、デスクトップ４４及びブレード固定部４２を有し、
　前記パネル部材の下端と、座席ユニット６６のブレード固定部４２の下端と、デスクユニット６８のブレード固定部４２の下端が床面に載っており、
　前記パネル部材が、曲率を有する第１のパネル部材２および第２のパネル部材４が隣接して配置されているものであり、
　前記第１のパネル部材２及び第２のパネル部材４の端部にそれぞれチャネル１６が形成され、前記各チャネル１６が対向することにより形成された空間に端部片６が配置され、
　前記第１のパネル部材２及び第２のパネル部材４が、前記端部片６と、第２の固定部１４とを用いて接続され、
　接続された前記第１のパネル部材２及び第２のパネル部材４の両側にあるブレード固定部４２が、前記第１のパネル部材２と第２のパネル部材４が対向する部位の両側において、第１のパネル部材２及び第２のパネル部材４の端部に跨がるように当接し、
　前記端部片６と前記固定部材１０と前記ブレード固定部４２が連結されている、
　家具システム。」
（３）刊行物３
　ア　刊行物３に記載の事項
　刊行物３には、以下の事項が記載されている。
（ア）「【技術分野】
【０００１】
本発明は、デスクやテーブルなどの机に取付けられる衝立状パネルの取付構造を利用して、当該パネルとそのパネルが取付けられた天板側辺との間に取付けるようにした配線装置に関する。」
（イ）「【０００９】
本発明では、上記構成において、
天板の一側辺、例えば前側辺と衝立状パネルの前面の間には、配線が挿通可能な隙間が形成された形態
【００１０】
また、隙間は、前記天板と衝立状パネルとの間に形成する配線挿通可能な隙間は、前記天板と衝立パネルを結合するパネル取付用ブラケットの前後方向での取付位置を調整して形成することができる。さらに、
当該隙間は、天板の一側辺に配線が挿通できる横長溝状の切欠を設け、この天板の一側辺に衝立状パネルを切欠部のない部位に当接させて取付けても形成することができる。
（ウ）「【００１７】
３は上記天板１の前端辺1aの側（天板１の向う側）に隙間Ｇを保って設置される衝立状パネル
天板１の下面に配置される倒立したＬ字状の２つの取付ブラケット４，５により、天板１の前端辺1aに隙間Ｇを保って立設姿勢で取付けられている。
前記パネル３は、天板１が直線辺のものであれば、平坦面パネルを用いるが、弯曲辺の天板１の場合には、その弯曲に沿った弯曲面のパネル３を用いる。3aは前記パネル３の上部辺に設けたライン状のハンガー部材であるが、ハンガー部材3aを設けない衝立状パネル３の場合もある。」
（エ）図面
　ａ　【図１】
　「
　
　　　　　　　　　　　　　　　　　　　　　　　　　」
　ｂ　【図４】
　「
　　　　　　　　　　　　　　　　　　　　　　　　　　　　　　　　　　　　　　　　　　　　」
（４）刊行物４
　ア　刊行物４に記載の事項
　刊行物４には、以下の事項が記載されている。
（ア）「【技術分野】
【０００１】
本発明は、机等における配線装置に関する。」
（イ）「【００３７】
また、この取付状態では、
配線受け部(17B)において、天板(４)の後端面(4c)と幕板(６)との間に隙間(30a)が作られ
【００３８】次いで、デスクトップパネル取付部(19)の取付孔(19A)にピン(5b)を差し込むと、ブラケット本体(7A)上にデスクトップパネル(５)を取り付けることができる。このようにして取り付けたデスクトップパネル(５)は、幕板(６)と同一平面をなし、また、天板(４)とほぼ直角をなした状態になる。図１及び図２は、この状態を示す。」
（ウ）図面
　ａ　【図１】
　「
　　　　　　　　　　　　　　　　　　　　　　　　　」
　ｂ　【図２】
　「
　
　　　　　　　　　　　　　　　　　　　　　　　　」
（５）刊行物５
　ア　刊行物５に記載の事項
　刊行物５には、以下の事項が記載されている。
（ア）「【０００１】
【産業上の利用分野】本考案は、間仕切装置における脚ブラケットの抜止め装置に係わり、更に詳しくは机天板を支持する脚板に固定した脚ブラケットを間仕切装置の目地部の係止孔に嵌合係止する際に、該脚ブラケットの脱落を防止するための抜止め装置に関する。」
（イ）「【０００７】
【実施例】次に添付図面に示した実施例に基づき更に本考案の詳細を説明する。図１及び図２は、
複数の間仕切パネル１，…を互いに連結し、その連結部分に形成された目地部２に脚ブラケット３を用いて机天板４を支持する脚板５を取付けて、間仕切パネル１の前面に机Ｔを連結構成してなる間仕切装置
【０００８】本考案は、特に
端部に位置する脚板５を取付ける脚ブラケット３
・・・・
【００１０】また、前記間仕切パネル１の側端には中空の縦枠２６が一部側方へ突出状態で取付けられ、この縦枠２６の突出部側面には前記係止孔１２，…が一定間隔毎に縦方向に列設され、２枚の間仕切パネル１，１を直線状に連結した際には、その連結部に形成される目地部２に前記係止孔１２，…が並列状態で出現するのである。
【００１１】しかして、図５及び図６に示すように、脚板５の後端に固定した脚ブラケット３の係止板１４を目地部２に挿入し、該目地部２に臨む外側の係止孔１２，…列の所定のものの下縁に脚ブラケット３のフック１３，…を嵌合係止し、それから抜止め具１９を後方へスライド移動させて、係合片２２の爪２１を対応する係止孔１２に嵌入して、脚ブラケット３の持ち上がりを防止し、もって抜止めがなされるのである。この状態では、脚ブラケット３の連結板１５と抜止め具１９の連結片２３は面一となり、連結板１５及び連結片２３と脚板５の後端面６との間には、前述の如く外側方へ開放した凹部１６が形成される。この凹部１６には、サイドキャップ２７が圧入され、抜止め具１９の前方への戻り防止と凹部１６の閉塞がなされる。ここで、サイドキャップ２７は、金属板若しくは合成樹脂製で弾力性を有する断面略コ字形状に形成され、表面板２８の両側にやや外側に開いた状態で脚片２９，２９を延設し、前側の脚片２９の先端部には前記脚板５の外側方の後端面６の内側縁と脚ブラケット３の基板８間の間隙３０に抜止め係合する突条３１を縦方向に形成している。このサイドキャップ２７を、その脚片２９，２９を押し狭めて凹部１６に圧入した状態では、脚片２９，２９の弾性復元力によって抜止め具１９の連結片２３が後方へ押圧されている。しかし、このサイドキャップ２７は前述の作用を有するものであれば、例えばゴム製のパッキンでもよく、特にその形状及び構造には限定されない。」
（ウ）図面
　ａ【図１】
　「
　　　　　　　　　　　　　　　　　　　　　　　　」
　ｂ【図３】
　「
　　　　　　　　　　　　　　　　　　　　　　　　」
　ｃ【図５】　
　「
　　　　　　　　　　　　　　　　　　　　　　　　」　
　ｄ【図６】
　「
　　　　　　　　　　　　　　　　　　　　　　　　」　
　上記図６から以下の点が看て取れる。
（ａ）間仕切パネル１の端に凹部が形成されている点。
（ｂ）脚ブラケット３が、間仕切パネル１の端に形成された凹部と、机の脚板５の端に形成された凹部とを連結している点。
（６）刊行物６
　ア　刊行物６に記載の事項
　刊行物６の二枚目の写真から、以下の点が看て取れる。
（ア）オフィスの室内において、
　前方に空間を有している円弧状の椅子と、当該円弧状の椅子の背面側から利用可能な白色の円弧状の天板と該天板を支持する棒状の部材を有する構造体と、前記椅子と前記構造体との間に、前記椅子と接するとともに上下に立設した黄色の円弧状の板状部材と、を備えたシステムが設置され、
　前記板状部材が、椅子の背凭れ部分の後方に配置され、
　前記板状部材の上端が、前記椅子の背凭れ部分の上端、及び、前記構造体の前記天板の上面より上方に位置している点。
（イ）前記板状部材が、椅子の前方に有する空間を包むように湾曲して立設されている点。　
（７）刊行物７
　ア　刊行物７に記載の事項
（ア）５９頁の中段の「統合管制室　大型モニターと情報共有のコロッセオ」との記載された箇所の右側の写真
　上記写真から、以下の点が看て取れる。
　ａ　オフィスの室内において、
　前方に空間を有している青色の円弧状の椅子と、当該円弧状の椅子の背面側から利用可能な白色の円弧状の天板と該天板を支持する板状の部材を有する構造体と、を備えたシステムが設置されている点。
　ｂ　前記椅子が、椅子の前方に有する空間を包むように湾曲して設けられている点。
（イ）５９頁の下から３段目、右側の「コロッセオ」と題された図
　上記図から、以下の点が看て取れる。
　・オフィスの室内において、座席と、座席の背面側から利用可能なハイカウンターと、を備えたシステムが設置された点。
（ウ）５９頁の下から３段目、右側の「コロッセオ」と題された図の説明部分
　「テーブル席・ソファ席・ハイカウンターの３列型の円錐状のミーティングスペース。緊急時には１度に３０人集まり情報共有可能です。」と記載されている。
（８）刊行物８
　刊行物８の１８４頁の上の写真から、以下の点が看て取れる。
（ア）オフィスの室内において、
　前方に空間を有している椅子と、当該椅子の背後に立設された橙色の壁状部材と、を備えたシステムが設置され、
　前記椅子に着座する６人の着座者、及び、椅子の背面側において立位姿勢もしくは着座姿勢の４人の者と、前記空間で立位姿勢となる１人の者とが、およそ対向する位置関係となっている点。
（９）刊行物９
　ア　刊行物９の３８頁の上の写真から、以下の点が看て取れる。
（ア）オフィスの室内において、
　前方に空間を有している着座する部分が青色の円弧状の椅子と、当該椅子の背後に円弧状に立設された茶色の壁状部材と、を備えたシステムが設置され、
（イ）前記壁状部材が、椅子の前方に有する空間を包むように湾曲して立設されている点。
（１０）引用例１
　ア　引用例１に掲載された事項
（ア）１頁　下段（翻訳は申立人Ａが提出した甲第２号証の要部和訳による。）
「AGATI-3 new products just in time for NeoCon 2011
Posted by Jenn ｜June 13th,2011 ｜ Comment on this post」
（翻訳）「ＡＧＡＴＩ−ＮｅｏＣｏｎ２０１１に間に合うように３つの新製品
投稿者Ｊｅｎｎ｜２０１１年６月１３日」
（イ）３頁　下段　「The Elements Media Center pairs AGATI’s supportive , comfortable Hampton seating with its technology-adapted Elements Workstation. Ideal for multiple users and long hours of collaborating in comfort. Tags: Agati , Commerical , Furniture , Gee , Havana , Lounge , Neocon ,Office
 This entry was posted on Monday , June 13th,2011 at 10:38 am and is filed under Commercial, Furniture , Trade Shows.」
（翻訳）
「エレメンツメディアセンターは、ＡＧＡＴＩの支持的で心地よいハンプトンの座席と、テクノロジーに対応したエレメンツワークステーションを組み合わせたものです。快適に、複数のユーザーと長い時間に亘って共同作業をするのに理想的です。
　このエントリは、２０１１年６月１３日月曜日の午前１０時３８分に投稿され、広告、家具、トレードショーの下に提出されます。」
（ウ）３頁　上の図面
　「
　　　　　　　　　　　　　　　　　　　　　　　　」
　なお、上記図面中の「４→」、「Ｔ→」等の数字ないし記号による指示は、申立人Ａが記入したものであり、引用例１発明の認定には考慮していない。
　上記（イ）の記載と上記（ウ）の図面から以下の点が看て取れる。
　ａ　
エレメンツメディアセンターにおいて、
　
前面に空間を有する円弧状の座席（うすい緑色の部分）と、
　
当該円弧状の座席の外側に沿うとともに、円弧状の座席を囲むように立設された板状の構造体（うすい茶色の部分）（以下、「円弧状立設板状体」という。）と、
　
当該円弧状立設板状体の外側において、外側にむかって延びた略水平の部分（白色の部分）を有する円弧状の構造体（以下、「円弧状構造体」という。）と、を備え、
　
円弧状構造体の円弧状の座席が有る側とは反対側に６脚の椅子が配置されるとともに、空間を有している点。
　ｂ　
円弧状の座席が、利用者が着座する部分と、着座した者の背を支持する部分を有している点。
　ｃ　
円弧状立設板状体の上端が、円弧状の座席の背を支持する部分の上端、及び、円弧状構造体の略水平の部分の上面よりも上方に位置している点。
　
　イ　引用例１発明
　上記ア（ア）ないし（ウ）からみて、引用例１には、次の発明（以下、「引用例１発明」という。）が掲載されていると認められる。
（引用例１発明）
「エレメンツメディアセンターにおいて、
　前面に空間を有する円弧状の座席と、
　当該円弧状の座席の外側に沿うとともに、円弧状の座席を囲むように立設された円弧状立設板状体と、
　当該円弧状立設板状体の上方の部位の外側において、外側にむかって延びた略水平の部分を有する円弧状構造体と、を備え、
　円弧状構造体の円弧状の座席が有る側とは反対側に６脚の椅子を配置するとともに、空間を有しており、
　円弧状の座席が、利用者が着座する部分と、利用者の背を支持する部分を有し、
　前記円弧状立設板状体の上端が、円弧状の座席の背を支持する部分の上端、及び、円弧状構造体の略水平の部分の上面よりも上方に位置している、　　エレメンツメディアセンター。」
　なお、引用例１は、前記１において説示したように、引用例１に記載の事項が、本件特許出願前に電気通信回線を通じて公衆に利用可能となったものであるとは認められないから、後の「３　当審の判断」においては、検討の対象としていない。
（１１）引用例２
　ア　引用例２に掲載された事項
　引用例２には、以下の事項が記載されている。
（ア）１頁　下から３―末行
「Ｐｏｄｓ　＆　Ｓｃｒｅｅｎｓ
　If you want to subdivide spaces, or have a central Google bar,pods and screens provide opportunities to create spaces with different purposes.」
（上記摘記箇所に対応する、令和１年９月５日付けで申立人Ｂから提出された申立書Ｂに添付された抄訳（「甲第１−１号証　抄訳」）を援用して併記する。以下同じ。）
「ポッドとスクリーン（pods and screens）
　スペースを細分化する場合、又は中央のGoogleバーを使用する場合、ポッドとスクリーン（pods and screens）は、さまざまな目的でスペースを作成するための機会を与える。」
（イ）２頁　下から７−５行
「Ｓｅａｔｓ
　Different activities require different spaces, and the seating selected can provide signposts to that functionality.」
（翻訳）
「シート
　アクティビティごとに異なるスペースが必要であり、選択した座席がその機能に標識（signposts）を提供できます。」
（ウ）７頁　下から３行−末行
「Copyright○Ｃ　Spaceoasis Ltd 2014.European Patent No 1470773
　Community Registered Design no.00013268/0001-8.UK Registered Design No GB3004035.SPACEOASIS is a registered trade mark of Spaceoasis Ltd.」
（翻訳）
「著作権○Ｃスペースオアシスリミテッド（SpaceoasisLtd）2014. 欧州特許出願公開第１４７０７７３号公報
　コミュニティ登録デザインｎｏ．０００１３２６８／０００１−８．英国登録デザインＮｏ．ＧＢ　３００４０３５．ＳＰＡＣＥＯＡＳＩＳは、スペースオアシスリミテッドの商標として登録されている。」
（上記「〇Ｃ」は、「〇」の中に「Ｃ」）
（エ）２頁の写真
　　「
　　　　　　　　　　　　　　　　　　　　　　　　　　
　　　　　　　　　　　　　　　　　　　　　　　　　」
　上記写真から以下の点が看て取れる。　
　ａ　
床面に
配置された製品であって
　各組において、
前面に空間を有するとともに、利用者が着座する部分と、着座した利用者の背を支持する部分を有する円弧状の座席
　
当該円弧状の座席の着座した利用者の背を支持する部分の外側に沿うとともに、円弧状の座席を囲むように立設された円弧状の板状体
円弧状立設板状体
　
当該円弧状立設板状体の外側において、外側にむかって延びた略水平の部分
と当該略水平の部分の下方位置で円弧状立設板状体に沿うよう立設した部分
を有する円弧状の構造体
「円弧状構造体」
　
前記円弧状立設板状体は、略水平の部分の下方位置で円弧状立設板状体に沿うよう立設した部分及び背凭れ部を設けた椅子とともに一体となっていて、
　
前記円弧状構造体の円弧状の座席がある側とは反対側に６脚の椅子を配置するとともに、空間を有している
　ｂ　前記円弧状立設板状体が、円弧状の座席と円弧状構造体との間において配置されているとともに、写真手前（右側）の組において、左から２つめと３つめの椅子の間に対応する位置等で、円弧状立設板状体の上端部分が分割されていて、当該分割された位置には、円弧状構造体の立設した部分が位置している点。
　ｃ　
前記円弧状構造体の略水平の部分の内側は、円弧状立設板状体との間に隙間を有している
　ｄ　
前記円弧状立設板状体の上端が、円弧状の座席の背を支持する部分の上端、及び、円弧状構造体の略水平の部分の上面よりも上方に位置している
　イ　引用例２に掲載された発明　上記ア（ア）ないし（エ）からみて、引用例２には、次の発明（以下、「引用例２発明」という。）が記載されていると認められる。
（引用例２発明）
「床面に、配置された製品において、
　前面に空間を有するとともに、利用者が着座する部分と、着座した利用者の背を支持する部分とを有する円弧状の座席と、
　当該円弧状の座席の着座した利用者の背を支持する部分の外側に沿うとともに、円弧状の座席を囲むように立設された円弧状立設板状体と、
　当該円弧状立設板状体の外側において、外側にむかって延びた略水平の部分と当該略水平の部分の下方位置で円弧状立設板状体に沿うよう立設した部分を有する円弧状構造体と、を備え、
　前記円弧状立設板状体は、略水平の部分の下方位置で円弧状立設板状体に沿うよう立設した部分及び背凭れ部を設けた椅子とともに一体となっていて、
　前記円弧状構造体の円弧状の座席がある側とは反対側に６脚の椅子を配置するとともに、空間を有しており、
　前記円弧状構造体の略水平の部分の内側は、円弧状立設板状体との間に隙間を有しており、
　前記円弧状立設板状体の上端が、円弧状の座席の背を支持する部分の上端、及び、円弧状構造体の略水平の部分の上面よりも上方に位置している、
　製品。」
（１２）引用例３
　ア　引用例３に掲載された事項
　引用例３には、以下の事項が記載されている。 
（ア）２頁　１―７行
「Ｓｅｍｉｎａｒｉｏ　Ｒａｎｇｅ
　The Seminario is very practical version of stadium seating for formal teaching.
　The lower level incorporates soft seating where standalone tables can be added for note taking, computer or tablet use. The higher leel increases the capacity of the group and incorporates worktops.」
（翻訳）
「セミナリオレンジ（Seminario　Range）　セミナリオは、正式な指導のためのスタジアム席の非常に実用的なバージョンです。
　下位レベルには、メモを取る、コンピュータ又はタブレットを使用するためのスタンドアロンテーブルを追加できるソフトな座席が組み込まれています。上位レベルでは、グループのキャパシティが増加し、ワークトップが組み込まれます。」
（イ）７頁　下から３行−末行
「Copyright○Ｃ　Spaceoasis Ltd 2014.European Patent No 1470773　Community Registered Design no.00013268/0001-8.UK Registered Design No GB3004035.SPACEOASIS is a registered trade mark of Spaceoasis Ltd.」（翻訳）「著作権○Ｃスペースオアシスリミテッド（SpaceoasisLtd）2014. 欧州特許出願公開第１４７０７７３号公報
　コミュニティ登録デザインｎｏ．０００１３２６８／０００１−８．英国登録デザインＮｏ．ＧＢ　３００４０３５．ＳＰＡＣＥＯＡＳＩＳは、スペースオアシスリミテッドの商標として登録されている。」
 （上記「〇Ｃ」は、「〇」の中に「Ｃ」）
（ウ）１頁の表題が「Ｓｅｍｉｎａｒｉｏ　Ｒａｎｇｅ」であり、
　「Seminario　Range　products」（セミナリオレンジ
製品
　「
　　　　　　　　　　　　　　　　　　　　　　　　　　　」
　上記写真から以下の点が看て取れる。
　ａ　
床面に
配置され、
　各組において、
前面に空間を有するとともに、利用者が着座する部分と、着座した利用者の背を支持する部分を有する円弧状の座席（黄色の部分およびその下のグレーの部分）と、
　
当該円弧状の座席の着座した利用者の背を支持する部分の外側に沿うとともに、円弧状の座席を囲むように立設された円弧状の板状体（断面が肌色の板状体）（以下、「円弧状立設板状体」という。）と、
　
当該円弧状立設板状体の外側において、外側にむかって延びた略水平の部分（白色の部分）と当該略水平の部分の下方位置で円弧状立設板状体に沿うよう立設した部分（グレーの部分）を有する円弧状の構造体（以下、「円弧状構造体」という。）と、を備え、
　
前記円弧状立設板状体は、略水平の部分の下方位置で円弧状立設板状体に沿うよう立設した部分及び背凭れ部を設けた椅子とともに一体となっていて、
　
前記円弧状構造体の円弧状の座席がある側とは反対側に６脚の椅子配置するとともに、空間を有している点。
　ｂ　写真手前（右側）の組において、左から２つめと３つめの椅子の間に対応する位置等で、円弧状立設板状体の上端部分が分割されていて、当該分割された位置には、円弧状構造体の立設した部分が位置している点。
　ｃ　
前記円弧状構造体の略水平の部分の内側は、円弧状立設板状体との間に隙間を有している点
　ｄ　
前記円弧状立設板状体の上端が、円弧状の座席の背を支持する部分の上端、及び、円弧状構造体の略水平の部分の上面よりも上方に位置している点。
　イ　引用例３に掲載された発明
　上記ア（ア）ないし（ウ）からみて、引用例３には、次の発明（以下、「引用例３発明」という。）が記載されていると認められる。
（引用例３発明）
「床面に、配置された製品において、
　前面に空間を有するとともに、利用者が着座する部分と、着座した利用者の背を支持する部分とを有する円弧状の座席と、
　当該円弧状の座席の着座した利用者の背を支持する部分の外側に沿うとともに、円弧状の座席を囲むように立設された円弧状立設板状体と、
　当該円弧状立設板状体の外側において、外側にむかって延びた略水平の部分と当該略水平の部分の下方位置で円弧状立設板状体に沿うよう立設した部分を有する円弧状構造体と、を備え、
　前記円弧状立設板状体は、略水平の部分の下方位置で円弧状立設板状体に沿うよう立設した部分及び背凭れ部を設けた椅子とともに一体となっていて、
　前記円弧状構造体の円弧状の座席がある側とは反対側に６脚の椅子を配置するとともに、空間を有しており、
　前記円弧状構造体の略水平の部分の内側は、円弧状立設板状体との間に隙間を有しており、
　前記円弧状立設板状体の上端が、円弧状の座席の背を支持する部分の上端、及び、円弧状構造体の略水平の部分の上面よりも上方に位置している、
　製品。」
　３　当審の判断
（１）刊行物１を主引用例として
　ア　本件発明１について
（ア）対比
　本件発明１と刊行物１発明とを対比すると、
　ａ　刊行物１発明の「円弧状の座席」、「円弧状立設板状体」及び「円弧状構造体」は、本件発明１の「椅子」、「区画部」及び「カウンター」にそれぞれ相当する。
　ｂ　刊行物１発明の「脚部により支持」される「利用者が着座する部分」、及び「着座する部分に連結されて上方に延びる利用者の背を支持する部分」は、それぞれ、本件発明１の「脚部に支持された座部」及び「座部に連結されて上方に向かって延びる背凭れ部」に相当する。また、刊行物１発明の「脚部」は、床面上に配置されることは明らかである。
　そうすると、刊行物１発明は、本件発明１の「床面上に配置される脚部に支持された座部に連結されて上方に向かって延びる背凭れ部を設けた椅子」の構成を有しているといえる。
　ｃ　刊行物１発明の「円弧状構造体」の「略水平の部分」は、本件発明１の「カウンター」の「天板」に相当する。
　また、刊行物１発明において、「円弧状の座席」に利用者が着座した場合、「円弧状構造体」は、利用者の背面側となるから、「円弧状構造体」は、「円弧状の座席」の外側、すなわち背面側に設けられているといえる。さらに、「円弧状構造体」の「円弧状の座席」が有る側とは反対側に空間を有しているところ、当該空間があることで、立位姿勢で「円弧状構造体」を利用可能であることは明らかである。
　したがって、刊行物１発明の「円弧状の座席」の背面側に設けられ、「円弧状構造体」の円弧状の座席が有る側とは反対側において、立位姿勢で利用可能な「円弧状構造体」は、本件発明１の「前記椅子の背面側に設けられ、該椅子と反対側から立位姿勢で利用可能なカウンター」に相当する。
　また、刊行物１発明の「略水平の部分」が、「利用者の背を支持する部分より上方に位置している」ので、「略水平の部分」が、上下方向において、利用者の背を支持する部分より上に出た状態となる。
　よって、刊行物１発明の「略水平の部分」は、「利用者の背を支持する部分」より上方に突出するようにして設けられているといえる。
　以上のことから、刊行物１発明は、本件発明１の「前記椅子の背面側に」、「天板が前記背凭れ部より上方に突出するようにして設けられ、該椅子と反対側から立位姿勢で利用可能なカウンター」の構成を有しているといえる。
　ｄ　刊行物１発明の「円弧状立設板状体」は、板状の物体であるから、パネル体からなるものであるといえる。
　また、刊行物１発明の「円弧状立設板状体」は、「円弧状の座席の利用者の背を支持する部分の外側に沿う」のであるから、「円弧状の座席の利用者の背を支持する部分」と当接するようにして設けられているものである。
　さらに、「円弧状立設板状体」は、「円弧状の座席の利用者の背を支持する部分」の「外側に沿う」とともに、「円弧状立設板状体」の「外側」に「円弧状構造体」があることから、「円弧状の座席」と「円弧状構造体」との間に設けられているものといえる。
　したがって、刊行物１発明は、本件発明１の「前記椅子と前記カウンターとの間に、前記椅子の背凭れ部と当接するようにして設けられ」る「パネル体からなる区画部」の構成を有しているといえる。
　ｅ　刊行物１発明の「円弧状立設板状体の上端」が、「円弧状構造体の略水平の部分の上面よりも上方に位置」していることは、本件発明１の、「前記区画部」は、「カウンターの天板の上方に突出するように設けられる」ことに相当する。
　また、刊行物１発明の「円弧状立設板状体」が、「円弧状の座席の利用者の背を支持する部分の外側に沿う」ものであって、「円弧状立設板状体」が立設されていることをふまえれば、「円弧状の座席」の少なくとも上部に該当するところに「円弧状立設板状体」は存在していることになるから、「円弧状立設板状体」が、「円弧状の座席」の「上部」から「設けられている」ということができる。また、刊行物１発明の「円弧状立設板状体」は、「円弧状の座席」に利用者が着座したときに向く方向からみて、「利用者の背を支持する部分」の後方に配置されているということができる。
　そうすると、刊行物１発明は、本件発明１の「前記区画部は、前記椅子の上部から前記カウンターの天板の上方に突出するように設けられるとともに、前記椅子に着座する着座者の背を支持する背凭れ部の後方に配置され」「ること」という構成を有しているといえる。
　
　ｆ　刊行物１発明の「座席」、「円弧状立設板状体」及び「円弧状構造体」とを備える「座席及び机のユニット」は、本件発明１の「椅子システム」に相当する。
　そうすると、本件発明１と刊行物１発明との、一致点及び相違点は、以下のとおりである。
＜一致点＞
「床面上に配置される脚部に支持された座部に連結されて上方に向かって延びる背凭れ部を設けた椅子と、
　前記椅子の背面側に、天板が前記背凭れ部より上方に突出するようにして設けられ、該椅子と反対側から立位姿勢で利用可能なカウンターと、
　前記椅子と前記カウンターとの間に、前記椅子の背凭れ部と当接するようにして設けられ、床面上に立設させるパネル体からなる区画部と、を備え、
　前記区画部は、前記椅子の上部から前記カウンターの天板の上方に突出するように設けられるとともに、前記椅子に着座する着座者の背を支持する背凭れ部の後方に配置される椅子システム。」
　＜相違点＞
１．天板が、本件発明１では、床面上から立設された支持脚に支持されているのに対して、刊行物１発明では、そのような特定がなされていない点。
２．パネル体からなる区画部が、本件発明１では、支持脚体を床面に設置することで床面上に立設されているのに対して、刊行物１発明では、座席の利用者の背を支持する部分の外面に沿うとともに、その下端が円弧状の座席の下端とが同じ高さにあって、円弧状の座席の外側に取り付けられていて、円弧状の座席を囲むように立設されている点。
３．区画部が、本件発明１では、椅子と第一連結部材により、またカウンターと第二連結部材によりそれぞれ連結されているのに対して、刊行物１発明では、そのような特定がなされていない点。
　上記のとおり、本件発明１と刊行物１発明とは、カウンターの天板の支持に関する構成、パネル体からなる区画部の支持に関する構成、さらに区画部と、椅子及びカウンターとのそれぞれの連結に関する構成についての実質的な相違点があるから、本件発明１は、刊行物１に記載された発明ではない。
（イ）判断
　事案に鑑みて、相違点２から検討する。
　刊行物１発明は、本件発明１と同様に、「背凭れ部を設けた椅子」、「カウンター」及び「パネル体からなる区画部」を有する椅子システムであるが、刊行物１には、上記相違点２に係る本件発明１のような「パネル体からなる区画部」が、「支持脚体を床面に設置することで床面上に立設」されていることが、記載も示唆もされていない。むしろ、刊行物１発明は、円弧状立設板状体の下端が円弧状の座席の下端とが同じ高さにあって、円弧状の座席の外側に取り付けられていていることからみて、「円弧状立設板状体」は、床面に支持部材などを設置することが不要の構造体であるといえる。
　よって、刊行物１発明において、上記相違点２に係る本件発明１の構成とすることは、当業者が容易になし得たことではない。
　したがって、本件発明１は、他の相違点を検討するまでもなく、刊行物１発明に基いて、当業者が容易に発明をすることができたものではない。
（ウ）申立人Ｂの主張について
　相違点２に相当する構成（「パネル体からなる区画部」が、「支持脚体を床面に設置することで床面上に立設」されていること）は、刊行物６、刊行物７、申立人Ｂが提出した甲第６号証乃至甲第１３号証、並びに、甲第１９号証乃至甲第２３号証に例示された周知技術に過ぎないから、刊行物１発明に、上記周知技術を適用して、相違点２に係る本件発明１とすることは、当業者が容易になし得ることである旨主張する。（申立人Ｂ意見書２６頁１９〜末行）
　しかしながら、刊行物１発明の「円弧状立設板状体」は、円弧状の座席の利用者の背が支持される部分の外側に沿うとともに、その下端が円弧状の座席の下端とが同じ高さにあって、円弧状の座席の外側に取り付けられていて、円弧状の座席を囲むように立設されたものである。すなわち、刊行物１発明の「円弧状立設板状体」は、床面に支持部材などを設置することが不要の構造体である。
　このようなことから、刊行物１発明の「円弧状立設板状体」を、支持脚体を床面に設置することで床面上に立設させるという課題が内在されているとはいえないから、上記周知技術を刊行物１発明に適用する動機付けがあるとはいえない。
　したがって、刊行物１発明に上記周知技術を適用できないから、申立人Ｂの主張を採用することはできない。
（エ）小括
　以上のとおりであるから、本件発明１は、刊行物１発明に記載された発明ではなく、また、刊行物１発明に基いて、当業者が容易に発明をすることができたものでもない。
　イ　本件発明２について
（ア）対比
　本件発明２と刊行物１発明とを対比すると、上記ア（ア）ａ〜ｆの点は同様である。
　そうすると、本件発明２と刊行物１発明との、一致点及び相違点は、以下のとおりである。
＜一致点＞
「床面上に配置される脚部に支持された座部に連結されて上方に向かって延びる背凭れ部を設けた椅子と、
　前記椅子の背面側に、天板が前記背凭れ部より上方に突出するようにして設けられ、該椅子と反対側から立位姿勢で利用可能なカウンターと、
　前記椅子と前記カウンターとの間に、前記椅子の背凭れ部と当接するようにして設けられ、床面上に立設させるパネル体からなる区画部と、を備え、
　前記区画部は、前記椅子の上部から前記カウンターの天板の上方に突出するように設けられるとともに、前記椅子に着座する着座者の背を支持する背凭れ部の後方に配置される椅子システム。」
＜相違点＞
４．天板が、本件発明２では、床面上から立設された支持脚に支持されているのに対して、刊行物１発明では、そのような特定がなされていない点。
５．パネル体からなる区画部が、本件発明２では、支持脚体を床面に設置することで床面上に立設されているのに対して、刊行物１発明では、座席の利用者の背を支持する部分の外面に沿うとともに、その下端が円弧状の座席の下端とが同じ高さにあって、円弧状の座席の外側に取り付けられていて、円弧状の座席を囲むように立設されている点。
６．本件発明２は、カウンターの支持脚と天板が、区画部と第二連結部材により連結されることで、前記区画部との間に隙間を有して配置されているのに対して、刊行物１発明では、そのような特定がなされていない点。
（イ）判断
　事案に鑑みて、相違点５から検討する。
　刊行物１、及び周知技術の例として示した刊行物２〜刊行物４、引用例２，引用例３のいずれにも、上記相違点５に係る本件発明２のような「パネル体からなる区画部」が、「支持脚体を床面に設置することで床面上に立設」されていることが、記載も示唆もされていない。むしろ、刊行物１発明は、円弧状立設板状体の下端が円弧状の座席の下端とが同じ高さにあって、円弧状の座席の外側に取り付けられていていることからみて、「円弧状立設板状体」は、床面に支持部材などを設置することが不要の構造体であるといえる。
　よって、刊行物１発明に、周知技術を適用して、上記相違点５に係る本件発明２の構成とすることは、当業者が容易になし得たことではない。
　したがって、本件発明２は、他の相違点を検討するまでもなく、刊行物１発明及び周知技術に基いて、当業者が容易に発明をすることができたものではない。
                                   
（ウ）申立人Ｂの主張について
　相違点５について、上記ア（ウ）と同様の主張をしているが（申立人Ｂ意見書２５頁１４〜１８行）、上記と同様である。
（エ）小括
　以上のとおりであるから、本件発明２は、刊行物１発明及び周知技術に基いて、当業者が容易に発明をすることができたものでもない。
（２）引用例３を主引用例として
　ア　本件発明１について
（ア）対比
　本件発明１と引用例３発明とを対比すると、
　ａ　引用例３発明の「円弧状の座席」、「円弧状立設板状体」及び「円弧状構造体」は、本件発明１の「椅子」、「区画部」及び「カウンター」にそれぞれ相当する。
　ｂ　引用例３発明の「利用者の背を支持する部分」は、本件発明１の「上方に向かって延びる背凭れ部」に相当する。
　ｃ　引用例３発明の「円弧状構造体」の「略水平の部分」及び「略水平の部分の下方位置で円弧状立設板状体に沿うよう立設した部分」は、本件発明１の「カウンター」の「天板」及び「支持脚」に相当する。
　また、引用例３発明の「略水平の部分の下方位置で円弧状立設板状体に沿うよう立設した部分」が、床面上から立設されたものであることは明らかである。
　さらに、引用例３発明において、「円弧状の座席」に利用者が着座した場合、「円弧状構造体」は、利用者の背面側となるから、「円弧状構造体」は、「円弧状の座席」の外側、すなわち背面側に設けられているといえる。また、引用例３発明は、「円弧状構造体の円弧状の座席が有る側とは反対側に６脚の椅子を配置するとともに、空間を有して」いるところ、当該空間があることで、また、配置されている６脚の椅子が撤去されることなどにより、立位姿勢で「円弧状構造体」を利用可能であることは明らかである。
　そうすると、引用例３発明は、本件発明１の「前記椅子の背面側に、床面上から立設された支持脚に支持される天板」が「設けられ、該椅子と反対側から立位姿勢で利用可能なカウンター」の構成を有しているといえる。
　ｄ　引用例３発明の「円弧状立設板状体」は、板状の物体であるから、パネル体からなるものであるといえる。
　また、引用例３発明の「円弧状立設板状体」は、「円弧状の座席の利用者の背を支持する部分の外側に沿う」のであるから、「円弧状の座席の利用者の背を支持する部分」と当接するようにして設けられているものである。　
　さらに、引用例３発明の「円弧状立設板状体」は、「円弧状の座席の利用者の背を支持する部分」の「外側に沿う」とともに、「円弧状立設板状体」の「外側」に「円弧状構造体」があることから、「円弧状の座席」と「円弧状構造体」との間に設けられているものといえる。
　したがって、引用例３発明は、本件発明１の「前記椅子と前記カウンターとの間に、前記椅子の背凭れ部と当接するようにして設けられ」る「パネル体からなる区画部」の構成を有しているといえる。                      
　ｅ　引用例３発明の「円弧状立設板状体の上端」が、「円弧状構造体の略水平の部分の上面よりも上方に位置」していることは、本件発明１の、「前記区画部」は、「カウンターの天板の上方に突出するように設けられる」ことに相当する。
　また、引用例３発明の「円弧状立設板状体」が、「円弧状の座席の利用者の背を支持する部分の外側に沿う」ものであって、「円弧状立設板状体」が立設されていることをふまえれば、「円弧状の座席」の少なくとも上部に該当するところに「円弧状立設板状体」は存在していることになるから、「円弧状立設板状体」が、「円弧状の座席」の「上部」から「設けられている」ということができる。また、引用例３発明の「円弧状立設板状体」は、「円弧状の座席」に利用者が着座したときに向く方向からみて「利用者の背を支持する部分」の後方に配置されているということができる。
　そうすると、引用例３発明は、本件発明１の「前記区画部は、前記椅子の上部から前記カウンターの天板の上方に突出するように設けられるとともに、前記椅子に着座する着座者の背を支持する背凭れ部の後方に配置され」「ること」という構成を有しているといえる。
　ｆ　引用例３発明の「座席」、「円弧状立設板状体」及び「円弧状構造体」とを備える「製品」は、本件発明１の「椅子システム」に相当する。
　そうすると、本件発明１と引用例３発明との、一致点及び相違点は、以下のとおりである。
＜一致点＞
「上方に向かって延びる背凭れ部を設けた椅子と、
　前記椅子の背面側に、床面上から立設された支持脚に支持される天板が設けられ、該椅子と反対側から立位姿勢で利用可能なカウンターと、
　前記椅子と前記カウンターとの間に、前記椅子の背凭れ部と当接するようにして設けられるパネル体からなる区画部と、を備え、
　前記区画部は、前記椅子の上部から前記カウンターの天板の上方に突出するように設けられるとともに、前記椅子に着座する着座者の背を支持する背凭れ部の後方に配置される椅子システム。」
　
＜相違点＞
６．上方に向かって延びる背凭れ部を設けた椅子が、本件発明１では、床面上に配置される脚部に支持された座部に連結されているのに対して、引用例３発明では、そのような特定がなされていない点。
７．床面上から立設された支持脚に支持される天板が、本件発明１では、背凭れ部より上方に突出するようにして設けられているのに対して、引用例３発明では、そのような特定がなされていない点。
８．パネル体からなる区画部が、本件発明１では、支持脚体を床面上に設置することで床面上に立設されているのに対して、引用例３発明では、座席の利用者の背を支持する部分の外面に沿うとともに、円弧状の座席を囲むように立設され、略水平の部分の下方位置で円弧状立設板状体に沿うよう立設した部分及び背凭れ部を設けた椅子とともに一体となっている点。
９．区画部が、本件発明１では、椅子と第一連結部材により、またカウンターと第二連結部材によりそれぞれ連結されているのに対して、引用例３発明では、第一連結部材及び第二連結部材によりそれぞれ椅子及びカウンターと連結されているか不明である点。
　上記のとおり、本件発明１と引用例３発明とは、椅子の脚部に関する構成、カウンターの天板と背凭れ部の位置関係に関する構成、パネル体からなる区画部の支持に関する構成、さらに区画部と、椅子及びカウンターとのそれぞれの連結に関する構成についての実質的な相違点があるから、本件発明１は、引用例３に記載された発明ではない。
（イ）判断
　事案に鑑みて、相違点８から検討する。
　引用例３発明は、本件発明１と同様に、「背凭れ部を設けた椅子」、「カウンター」及び「パネル体からなる区画部」を有する椅子システムであるが、引用例３には、上記相違点８に係る本件発明１のような「パネル体からなる区画部」が、「支持脚体を床面に設置することで床面上に立設」されていることが、記載も示唆もされていない。むしろ、引用例３発明のパネル体からなる区画部は、略水平の部分の下方位置で円弧状立設板状体に沿うよう立設した部分及び背凭れ部を設けた椅子とともに一体となっていて、簡単に、分離することはできないことから、パネル体からなる区画部にだけに支持脚体を設置することは困難であるといえる。
　よって、引用例３発明において、上記相違点８に係る本件発明１の構成とすることは、当業者が容易になし得たことではない。
　したがって、本件発明１は、他の相違点を検討するまでもなく、引用例３発明に基いて、当業者が容易に発明をすることができたものではない。
（ウ）申立人Ｂの主張について
　相違点８に相当する構成（「パネル体からなる区画部」が、「支持脚体を床面上に設置することで床面上に立設」されていること）は、刊行物６、刊行物７、申立人Ｂが提出した甲第６号証乃至甲第１３号証、並びに、甲第１９号証乃至甲第２３号証に例示された周知技術に過ぎないから、引用例３発明に、上記周知技術を適用して、相違点２に係る本件発明１とすることは、当業者が容易になし得ることである旨主張する。（申立人Ｂ意見書２３頁１０〜１８行）
　しかしながら、引用例３発明の「円弧状立設板状体」（パネル体からなる区画部）は、座席の利用者の背を支持する部分（背凭れ部）の外面に沿うとともに、円弧状の座席（椅子）を囲むように立設され、さらに外側に円弧状構造体（カウンター）を備えていて、略水平の部分の下方位置で円弧状立設板状体に沿うよう立設した部分（支持脚）及び円弧状の座席（背凭れ部を設けた椅子）とともに一体となっている構造体である。
　このようなことから、引用例３発明において、「円弧状立設板状体」を、「円弧状構造体」との関連をなくし、支持脚体を床面に設置することで床面上に立設させるという課題が内在されているとはいえないから、上記周知技術を引用例３発明に適用する動機付けがあるとはいえない。
　したがって、引用例３発明に上記周知技術を適用できないから、申立人Ｂの主張を採用することはできない。
（エ）小括
　以上のとおりであるから、本件発明１は、引用例３発明に記載された発明ではなく、また、引用例３発明に基いて、当業者が容易に発明をすることができたものでもない。
　イ　本件発明２について
（ア）対比
　本件発明２と引用例３発明とを対比すると、上記ア（ア）ａ〜ｆの点は同様である。加えて、
　ａ　引用例３発明の「円弧状構造体の略水平の部分の内側」と「円弧状立設板状体」との間の「隙間」は、本件発明２の「天板」と「区画部」との間に有している「隙間」に相当する。
　そうすると、本件発明２と引用例３発明との、一致点及び相違点は、以下のとおりである。
＜一致点＞
「上方に向かって延びる背凭れ部を設けた椅子と、
　前記椅子の背面側に、床面上から立設された支持脚に支持される天板が設けられ、該椅子と反対側から立位姿勢で利用可能なカウンターと、
　前記椅子と前記カウンターとの間に、前記椅子の背凭れ部と当接するようにして設けられ、パネル体からなる区画部と、を備え、
　前記区画部は、前記椅子の上部から前記カウンターの天板の上方に突出するように設けられるとともに、前記椅子に着座する着座者の背を支持する背凭れ部の後方に配置され、
　前記天板は、前記区画部との間に隙間を有して配置されている椅子システム。」
＜相違点＞
１０．上方に向かって延びる背凭れ部を設けた椅子が、本件発明２では、床面上に配置される脚部に支持された座部に連結されているのに対して、引用例３発明では、そのような特定がなされていない点。
１１．床面上から立設された支持脚に支持される天板が、本件発明２では、背凭れ部より上方に突出するようにして設けられているのに対して、引用例３発明では、そのような特定がなされていない点。
１２．パネル体からなる区画部が、本件発明２では、支持脚体を床面に設置することで床面上に立設されているのに対して、引用例３発明では、座席の利用者の背を支持する部分の外面に沿うとともに、円弧状の座席を囲むように立設され、略水平の部分の下方位置で円弧状立設板状体に沿うよう立設した部分及び背凭れ部を設けた椅子とともに一体となっている点。
１３．カウンターの支持脚と天板が、本件発明２では、区画部と第二連結部材により連結されることで、前記区画部との間に隙間を有して配置されているのに対して、引用例３発明では、天板と区画部との間に隙間を有しているものの、カウンターの支持脚と天板が、区画部と第二連結部材により連結されること、及び、支持脚と区画部との間に隙間を有すること、の特定がなされていない点。
　上記のとおり、本件発明２と引用例３発明とは、椅子の脚部に関する構成、カウンターの天板と背凭れ部の位置関係に関する構成、パネル体からなる区画部の支持に関する構成、さらに区画部と、カウンターとの連結に関する構成についての実質的な相違点があるから、本件発明２は、引用例３に記載された発明ではない。
（イ）判断
　事案に鑑みて、相違点１２から検討する。
　ａ　引用例３発明は、本件発明２と同様に、「背凭れ部を設けた椅子」、「カウンター」及び「パネル体からなる区画部」を有する椅子システムであるが、引用例３には、上記相違点１２に係る本件発明１のような「パネル体からなる区画部」が、「支持脚体を床面に設置することで床面上に立設」されていることが、記載も示唆もされていない。むしろ、引用例３発明のパネル体からなる区画部は、略水平の部分の下方位置で円弧状立設板状体に沿うよう立設した部分及び背凭れ部を設けた椅子とともに一体となっていて、簡単に、分離することはできないことから、パネル体からなる区画部にだけに支持脚体を設置することは困難であるといえる。
　よって、引用例３発明において、上記相違点１２に係る本件発明２の構成とすることは、当業者が容易になし得たことではない。
　したがって、本件発明２は、他の相違点を検討するまでもなく、引用例３発明に基いて、当業者が容易に発明をすることができたものではない。
　ｂ　また、前記（１）イ（イ）に示したように、刊行物２〜刊行物４、引用例２，引用例３のいずれにも、上記相違点１２に係る本件発明２のような「パネル体からなる区画部」が、「支持脚体を床面に設置することで床面上に立設」されていることが、記載も示唆もされていない。
　よって、引用例３発明に、周知技術を適用して、上記相違点１２に係る本件発明２の構成とすることは、当業者が容易になし得たことではない。
　したがって、本件発明２は、他の相違点を検討するまでもなく、引用例３発明及び周知技術に基いて、当業者が容易に発明をすることができたものではない。
（ウ）申立人Ｂの主張について
　相違点１２について、上記ア（ウ）と同様の主張をしているが（申立人Ｂ意見書２４頁１３〜１７行）、上記と同様である。
（エ）小括
　以上のとおりであるから、本件発明２は、引用例３発明に記載された発明ではなく、また、引用例３発明及び周知技術に基いて、当業者が容易に発明をすることができたものでもない。
　３　刊行物２を主引用例として
　ア　本件発明１について
（ア）対比
　本件発明１と刊行物２発明とを対比すると
　ａ　刊行物２発明の「座席ユニット６６」及び「デスクユニット６８」は、本件発明１の「椅子」及び「カウンター」にそれぞれ相当する。
　また、刊行物２発明の「パネル部材」又は「第１のパネル部材２及び第２のパネル部材４」は、本件発明１の「パネル体からなる区画部」に相当する。
　ｂ　刊行物２発明の「座席ユニット６６」の「シート４６」及び「ブレード固定部４２」は、本件発明１の「座部」及び「脚部」に、それぞれ相当する。
　また、刊行物２発明の「ブレード固定部４２」が、「シート４６」を支持するとともに、床面上に配置されていることは、明らかである。そうすると、刊行物２発明は、本件発明１の「床面上に配置される脚部に支持された座部」の構成を有しているといえる。
　ｃ　刊行物２発明の「デスクユニット６８」の「デスクトップ４４」及び「ブレード固定部４２」は、本件発明１の「天板」及び「支持脚」に、それぞれ相当する。
　また、前記「ブレード固定部４２」が床面上から立設されていることは、明らかである。
　したがって、刊行物２発明は、本件発明１の「床面上から立設された支持脚に支持される天板が」「設けられ」の構成を有しているといえる。
　また、刊行物２発明は、「パネル部材が、座席ユニット６６とデスクユニット６８との間に設けら」た位置関係、及び、座席ユニット６６に座ると、着座した者の背面側に「デスクユニット６６」が存在することになるから、「デスクユニット６８」が、「座席ユニット６６」の背面側に設けられることは明らかである。
　さらに、刊行物２発明の「デスクユニット６８」は、「座席ユニット６６がある側とは反対側に空間が形成されて」いるので、「座席ユニット６６」がある側とは反対側において、立位姿勢で「デスクユニット６８」を利用可能であることは明らかである。
　したがって、刊行物２発明は、本件発明１の「前記椅子の背面側に」「設けられ」、「該椅子と反対側から立位姿勢で利用可能なカウンター」の構成を有しているといえる。
　ｄ　刊行物２発明の「パネル部材」は、「座席ユニット６６とデスクユニット６８との間」に設けられるとともに、「座席ユニット６６と当接するよう」に設けられている。なお、「パネル部材」に当接している部分としては、刊行物２発明が「接続された第１のパネル部材２及び第２のパネル部材４の両側にあるブレード固定部４２が、第１のパネル部材２と第２のパネル部材４が対向する部位の両側において、第１のパネル部材２及び第２のパネル部材４の端部に跨がるように当接し」ていることから、「座席ユニット６６」の「ブレード固定部４２」であるといえる。
　そうすると、刊行物２発明の「座席ユニット６６とデスクユニット６８との間」に、「座席ユニット６６と当接するよう」に設けられている「パネル部材」は、本件発明１の「前記椅子と前記カウンターとの間に、前記椅子」「と当接するようにして設けられたパネル体からなる区画部」に相当する。
　ｅ
（ａ）刊行物２発明の「デスクユニット６８」が有する「デスクトップ４４」は、本件発明１の「カウンター」の「天板」に相当するから、刊行物２発明の「パネル部材が、デスクユニット６８の上面の上方に突出するように構成されている」ことは、本件発明１の「前記区画部」は、「前記カウンターの天板の上方に突出するように設けられる」ことに相当する。
　また、刊行物２発明の「パネル部材」が「上方に突出」する、すなわち、上下の方向性をもっていて、「座席ユニット６６」に当接するように設けられていることをふまえれば、「座席ユニット６６」の少なくとも上部に該当するところに「パネル部材」が存在していることになるから、「パネル部材」が、「座席ユニット６６」の上部から設けられているということができる。
　したがって、刊行物２発明は、本件発明１の「前記区画部は、前記椅子の上部から前記カウンターの天板の上方に突出するように設けられる」という構成を有しているといえる。
（ｂ）刊行物２発明の「座席ユニット６６」の「ブレード固定部４２」に連結される「固定部材１０」と、「パネル部材」の「チャネル１６」に配置された「端部片６」とからなる部材は、「座席ユニット６６」と「パネル部材」を連結する連結部材といえるから、本件発明１の「椅子」と「区画部」を連結する「第一連結部材」に相当する。
　さらに、刊行物２発明の「デスクユニット６８」の「ブレード固定部４２」に連結される「固定部材１０」と、「パネル部材」の「チャネル１６」に配置された「端部片６」とからなる部材は、「デスクユニット６８」と「パネル部材」を連結する連結部材といえるから、本件発明１の「カウンター」と「区画部」を連結する「第二連結部材」に相当する。
　したがって、刊行物２発明は、本件発明１の「前記区画部は、前記椅子と第一連結部材により、また前記カウンターと第二連結部材によりそれぞれ連結されている」という構成を有しているといえる。
　ｆ　刊行物２発明の「座席ユニット６６」、「パネル部材」及び「デスクユニット６８」とを備える「家具システム」は、本件発明１の「椅子システム」に相当する。
　そうすると、本件発明１と刊行物２発明との、一致点及び相違点は、以下のとおりである。
＜一致点＞
「椅子と、
　前記椅子の背面側に、床面上から立設された支持脚に支持される天板が設けられ、該椅子と反対側から立位姿勢で利用可能なカウンターと、
　前記椅子と前記カウンターとの間に、パネル体からなる区画部と、を備え、
　前記区画部は、前記椅子の上部から前記カウンターの天板の上方に突出するように設けられるとともに、前記椅子と第一連結部材により、また前記カウンターと第二連結部材によりそれぞれ連結されている椅子システム。」
＜相違点＞
１４．椅子が、本件発明１では、床面上に配置される脚部に支持された座部に連結されて上方に向かって延びる背凭れ部を設けているのに対して、刊行物２発明では、床面上に配置される脚部に支持された座部を有しているものの、座部に連結されて上方に向かって延びる背凭れ部を設けていない点。
１５．天板が、本件発明１では、背凭れ部より上方に突出するようにして設けられているのに対して、刊行物２発明では、そのような特定がなされていない点。
１６．パネル体からなる区画部が、本件発明１では、前記椅子の背凭れ部と当接するようにして設けられ、支持脚体を床面に設置することで床面上に立設されるものであるのに対して、刊行物２発明では、椅子とは当接するものの、背凭れ部が存在せず、また、パネル体からなる区画部の下端と、座部の脚部の下端と、カウンターの支持脚の下端が床面に載っている点。
１７．区画部が、本件発明１では、椅子に着座する着座者の背を支持する背凭れ部の後方に配置されるのに対して、刊行物２発明では、そのような特定がなされていない点。
（イ）判断
　事案に鑑みて、相違点１６から検討する。
　刊行物２、及び周知技術の例として示した刊行物１、引用例２，引用例３のいずれにも、上記相違点１６に係る本件発明２のような、「パネル体からなる区画部」が、「椅子の背凭れ部と当接するようにして設けられ」、「支持脚体を床面上に設置することで床面上に立設」されていることが、記載も示唆もされていない。むしろ、刊行物２発明は、パネル体からなる区画部の下端と、座部の脚部の下端と、カウンターの支持脚の下端が床面に載っており、座部の脚部及びカウンターの支持脚と互いに連結部材で連結されていることから、パネル体からなる区画部にだけに支持脚体を設置することは困難である。
　よって、刊行物２発明に、周知技術を適用して、上記相違点１６に係る本件発明１の構成とすることは、当業者が容易になし得たことではない。
　したがって、本件発明１は、他の相違点を検討するまでもなく、刊行物２発明及び周知技術に基いて、当業者が容易に発明をすることができたものではない。
（ウ）申立人Ｂの主張について
　相違点１６に相当する構成（「パネル体からなる区画部」が、「椅子の背凭れ部と当接するようにして設けられ」、「支持脚体を床面上に設置することで床面上に立設」されていることは、刊行物６、刊行物７、申立人Ｂが提出した甲第６号証乃至甲第１３号証、並びに、甲第１９号証乃至甲第２３号証に例示された周知技術に過ぎないから、刊行物２発明に、上記周知技術を適用して、相違点１６に係る本件発明１とすることは、当業者が容易になし得ることである旨主張する。（申立人Ｂ意見書１２頁３行〜１６頁９行）
　しかしながら、刊行物２発明の「パネル部材」（パネル体からなる区画部）は、パネル体からなる区画部の下端と、座部の脚部の下端と、カウンターの支持脚の下端が床面に載っており、座部の脚部及びカウンターの支持脚と互いに連結部材で連結されている、すなわち、これらが一体となっている構造体である。
　このようなことから、刊行物２発明の「パネル部材」を、「座席ユニット６６」や「デスクユニット６８」との関連をなくし、支持脚体を床面に設置することで床面上に立設させるという課題が内在されているとはいえないから、上記周知技術を刊行物２発明に適用する動機付けがあるとはいえない。　したがって、刊行物２発明に上記周知技術を適用できないから、申立人Ｂの主張を採用することはできない。
（エ）小括
　以上のとおりであるから、本件発明１は、刊行物２発明および周知技術に基いて、当業者が容易に発明をすることができたものでもない。
　イ　本件発明２について
（ア）対比
　本件発明２と刊行物２発明とを対比すると、上記ア（ア）ａ〜ｅ（ａ）、ｆの点は同様である。
　そうすると、本件発明２と刊行物２発明との、一致点及び相違点は、以下のとおりである。
　＜一致点＞
「椅子と、
　前記椅子の背面側に、床面上から立設された支持脚に支持される天板が設けられ、該椅子と反対側から立位姿勢で利用可能なカウンターと、
　前記椅子と前記カウンターとの間に、区画部と、を備え、
　前記区画部は、前記椅子の上部から前記カウンターの天板の上方に突出するように設けられる、
椅子システム。」
＜相違点＞
１８．椅子が、本件発明２では、床面上に配置される脚部に支持された座部に連結されて上方に向かって延びる背凭れ部を設けているのに対して、刊行物２発明では、床面上に配置される脚部に支持された座部を有しているものの、座部に連結されて上方に向かって延びる背凭れ部を設けていない点。
１９．天板が、本件発明２では、背凭れ部より上方に突出するようにして設けられているのに対して、刊行物２発明では、そのような特定がなされていない点。
２０．パネル体からなる区画部が、本件発明２では、前記椅子の背凭れ部と当接するようにして設けられ、支持脚体を床面に設置することで床面上に立設させるものであるのに対して、刊行物２発明では、椅子とは当接するものの、背凭れ部が存在せず、また、パネル体からなる区画部の下端と、座部の脚部の下端と、カウンターの支持脚の下端が床面に載っている点。
２１．区画部が、本件発明２では、椅子に着座する着座者の背を支持する背凭れ部の後方に配置されるのに対して、刊行物２発明では、そのような特定がなされていない点。
２２．カウンターの支持脚と天板が、本件発明２では、区画部と第二連結部材により連結されることで、前記区画部との間に隙間を有して配置されているのに対して、刊行物２発明では、そのような特定がなされていない点。
（イ）判断
　事案に鑑みて、相違点２０から検討する。
　刊行物２、及び周知技術の例として示した刊行物２、刊行物３、刊行物４、引用例２，引用例３のいずれにも、上記相違点２０に係る本件発明２のような、「椅子の背凭れ部と当接するようにして設けられ」、「パネル体からなる区画部」が、「支持脚体を床面に設置することで床面上に立設」されていることが、記載も示唆もされていない。むしろ、刊行物２発明は、パネル体からなる区画部の下端と、座部の脚部の下端と、カウンターの支持脚の下端が床面に載っており、互いに連結部材で連結されていることから、パネル体からなる区画部にだけに支持脚体を設置することは困難である。
　よって、刊行物２発明に、周知技術を適用して、上記相違点２０に係る本件発明２の構成とすることは、当業者が容易になし得たことではない。
　したがって、本件発明２は、他の相違点を検討するまでもなく、刊行物２発明及び周知技術に基いて、当業者が容易に発明をすることができたものではない。
（ウ）申立人Ｂの主張について
　相違点２０について、上記ア（ウ）と同様の主張をしているが（申立人Ｂ意見書１７頁１０〜１４行）、上記と同様である。
（エ）小括
　以上のとおりであるから、本件発明２は、刊行物２発明及び周知技術に基いて、当業者が容易に発明をすることができたものでもない。
第５　取消理由通知において採用しなかった特許異議申立理由について
　１　申立書Ｂ（第９頁第１−８行）記載された特許異議申立理由
　訂正前の請求項１に係る発明は、引用例２（申立人Ｂが提出した甲第１−１号証）に記載された発明であること、または、引用例２発明に基いて、当業者が容易に発明をすることができたものであり、
　また、訂正前の請求項２に係る発明は、引用例２に記載された発明であること、もしくは、引用例２発明及び周知技術（刊行物２乃至４）に基いて、当業者が容易に発明をすることができたものであるから、
　本件発明１，２に係る特許は、取り消されるべきものである。
　２　上記の特許異議申立理由について
　引用例２に記載された事項と、引用例３に記載された事項とは、同様の内容であり、また、引用例２発明と引用例３発明とは、同様の発明である（上記第４の２（１１）（１２）参照）ことから、上記の特許異議申立理由については、上記第４の３（２）において、実質的に検討したといえる。
　よって、上記第４の３（２）の検討結果と同様の結論となるといえる。
　３　結論
　本件発明１は、引用例２に記載された発明ではなく、また、引用例２発明に基いて、当業者が容易に発明をすることができたものでもない。
　また、本件発明２は、引用例２に記載された発明ではなく、また、引用例２発明及び周知技術に基いて、当業者が容易に発明をすることができたものではない。
第６　むすび
　以上のとおりであるから、取消理由通知に記載した取消理由及び特許異議申立書に記載した特許異議申立理由によっては、本件請求項１及び２に係る特許を取り消すことはできない。
　そして、他に本件請求項１及び２に係る特許を取り消すべき理由を発見しない。
　また、本件請求項３乃至５に係る特許は、上記のとおり、訂正により削除された。これにより、本件請求項３乃至５に係る特許異議の申立ては、申立ての対象が存在しないものとなったため、特許法第１２０条の８第１項で準用する同法第１３５条の規定によって却下する。
　よって、結論のとおり決定する。
【異議決定日】
令和２年８月１７日（２０２０．８．１７）
【訂正の要旨】
審決（決定）の【理由】欄参照。
（５４）【発明の名称】
椅子システム
　【技術分野】
　【０００１】
　本発明は、椅子システムに関するものである。
　【背景技術】
　【０００２】
　一般に、オフィスや公共施設等における空間では、複数のソファーやテーブルが設けられ、ソファーに座って打合せ等をすることがある。このようなソファーが設けられた構成として、壁に設けられたカウンターテーブルと、カウンターテーブルの下方に収容可能なソファーと、を備えたソファーシステムが提案されている（下記特許文献１参照）。
　【先行技術文献】
　【特許文献】
　【０００３】
　【特許文献１】実開昭６１−１７４４５４号公報
　【発明の概要】
　【発明が解決しようとする課題】
　【０００４】
　上記の特許文献１に記載のソファーシステムでは、多くの利用者が集まった場合には、ソファーに座れない人が生じてしまう。このため、例えばソファーに座れない人のために、他の空間に配置されたソファーを移動させる等して対応せざるを得ない。よって、ソファー等の椅子の数以上の利用者が集まって執務をする際に、簡易的に対応できないという問題点がある。
　【０００５】
　また、前方の壁面にモニターが設置され、利用者がこのモニターを見て会議をすることがある。このような会議において多くの利用者が集まった場合に、前方等の同一方向を向いて執務可能なシステムが望まれている。
　【０００６】
　本発明は、上記事情に鑑みてなされたものであり、多くの利用者に容易に対応できるとともに、多くの利用者が同一方向を向いて執務可能な椅子システムを提供するものである。
　【課題を解決するための手段】
　【０００７】
　上記目的を達成するために、本発明は以下の手段を採用している。
　すなわち、本発明に係る椅子システムは、
床面上に配置される脚部に支持された座部に連結されて上方に向かって延びる背凭れ部を設けた
、床面上から立設された支持脚に支持される天板が前記背凭れ部より上方に突出するようにして
の背凭れ部
、支持脚体を床面に設置することで床面上に立設させるパネル体からなる
、前記椅子と第一連結部材により、また前記カウンターと第二連結部材によりそれぞれ連結され
　【０００８】
　このように構成された椅子システムでは、利用者は、椅子に着座して執務をすることができるとともに、カウンターを利用して執務をすることもできる。よって、一部の利用者は椅子に着座しつつ、他の利用者はカウンターを利用しつつ執務をすることができるため、多くの利用者の執務に容易に対応することができる。
　また、カウンターは、椅子の背面側に設けられ、椅子と反対側から立位姿勢で利用可能である。よって、椅子に着座する利用者及びカウンターを利用する利用者は共に、椅子の前面側を向いて執務することができる。
　また、椅子とカウンターとの間に設けられた区画部は、その上部が、カウンターの天板よりも上方に設けられている。よって、天板に載置された物品が椅子側に移動しても、物品の移動が区画部により抑制されるため、物品が誤って椅子側に落下することが抑制される。また、椅子に着座する着座者が天板上を見ようとしても、着座者の視界が区画部により妨げられるため、カウンターの利用者は着座者の視線を感じずに作業することができる。よって、カウンターの利用者の作業性を良好とすることができる。
　【００１１】
　また、本発明に係る椅子システムは、
床面上に配置される脚部に支持された座部に連結されて上方に向かって延びる背凭れ部を設けた
、床面上から立設された支持脚に支持される天板が前記背凭れ部より上方に突出するようにして
の背凭れ部
、支持脚体を床面に設置することで床面上に立設させるパネル体からなる
るとともに、前記椅子に着座する着座者の背を支持する背凭れ部の後方に配置され、
カウンターの支持脚と
前記区画部と第二連結部材により連結されることで、
　【００１２】
　このように構成された椅子システムでは、天板は区画部との間に隙間を有して配置されているため、カウンターの利用者は、天板上に物品を載置する際には、隙間側から離間した場所に物品を載置する。よって、椅子の利用者から天板上に載置した物品までの距離を確保することができ、椅子の利用者が意図せず物品に接触して、物品を落下させてしまうことを防止することができる。
　【００１３】
　また、本発明に係る椅子システムは、椅子と、前記椅子の背面側に設けられ、該椅子と反対側から立位姿勢で利用可能なカウンターと、前記椅子と前記カウンターとの間に、前記椅子と当接するようにして設けられた区画部と、を備え、前記区画部は、前記椅子の上部から前記カウンターの天板の上方に突出するように設けられ、前記区画部は、パネル状に形成されたパネル体であってもよい。
　【００１４】
　このように構成された椅子システムでは、区画部は、パネル状に形成されたパネル体であるため、区画部における椅子側からカウンター側に向かう方向の長さを抑えることができる。よって、椅子とカウンターとを近接させつつ区画することができるため、コンパクトな構成とすることができる。
　【００１５】
　また、本発明に係る椅子システムは、前記椅子と前記パネル体とを連結する第一連結部材と、前記カウンターと前記パネル体とを連結する第二連結部材と、を備え、前記パネル体の外周端部には、該パネル体の内方に向けて凹むように溝が形成され、前記第一連結部材及び前記第二連結部材は、前記パネル体に対して前記溝に取り付けられていてもよい。
　【００１６】
　このように構成された椅子システムでは、第一連結部材及び第二連結部材がパネル体に形成された溝に取り付けられることで、パネル体とカウンター及び椅子とは連結される。第一連結部材及び第二連結部材が取り付けられる溝は、パネル体の外周端部に沿ってパネル体の内方に向けて凹むように形成されているため目立つことがない。よって、外観を良好とすることができる。
　【００１７】
　また、本発明に係る椅子システムは、前記区画部は、複数の前記パネル体を有し、前記パネル体は、前記椅子の前面側の空間を包むように配置されていてもよい。
　【００１８】
　このように構成された椅子システムでは、椅子の前面側の空間は、複数のパネル体により包まれるように形成されているため、椅子に着座する利用者の独立性、適度な閉塞感を確保することができる。
　【発明の効果】
　【００１９】
　本発明に係る椅子システムによれば、多くの利用者に容易に対応できるとともに、多くの利用者が同一方向を向いて執務可能とすることができる。
　【図面の簡単な説明】
　【００２０】
　【図１】一実施形態におけるソファーシステムの一例を示す斜視図である。
　【図２】一実施形態におけるソファーシステムの一例を示す側面図である。
　【図３】パネル体の構成を示す斜視展開図である。
　【図４】パネル体の板厚方向中間部における半断面図である。
　【図５】パネル体の端部を示す上面図である。
　【図６】パネル体の直線部の構造を示す断面図である。
　【図７】パネル体のコーナー部の構造を示す断面図である。
　【図８】基材の表面に沿って設けられたクッション材を示す断面図であり、（ａ）は表皮材を非装着の状態におけるクッション材の断面図、（ｂ）は表皮材を装着した状態におけるクッション材の断面図である。
　【図９】パネル体の下部の角部に設けられた支持脚体、およびパネル体どうしの下部における連結構造の一例を示す斜視図である。
　【図１０】パネル体どうしの下部における連結構造を示す断面図である。
　【図１１】パネル体どうしの上部における連結構造の一例を示す斜視図である。
　【図１２】パネル体どうしの連結部分の構造を示す断面図である。
　【図１３】ソファーとパネル体との連結部分の構造を示す側面図である。
　【図１４】図１３の要部の拡大図である。
　【図１５】ソファーとパネル体との連結部分の構造のうち、隣接配置された複数のパネル体の端部の断面図である。
　【図１６】ソファーとパネル体とを連結する上側の第一連結部材の斜視図である。
　【図１７】ソファーとパネル体との連結部分の構造のうち、隣接配置された複数のパネル体の中間部分の断面図である。
　【図１８】図１３の要部の拡大図である。
　【図１９】ソファーとパネル体とを連結する下側の第一連結部材の斜視図である。
　【図２０】カウンターとパネル体との連結部分の構造を示す側面図である。
　【図２１】ソファーシステムの後面図である。
　【図２２】カウンターとパネル体との連結部分の上部の構造のうち、隣接配置された複数のパネル体の端部の断面図である。
　【図２３】カウンターとパネル体との連結部分の上部の構造のうち、隣接配置された複数のパネル体の中間部分の断面図である。
　【図２４】カウンターとパネル体との連結部分の下部の構造のうち、隣接配置された複数のパネル体の端部の断面図である。
　【図２５】カウンターとパネル体との連結部分の下部の構造のうち、隣接配置された複数のパネル体の中間部分の断面図である。
　【発明を実施するための形態】
　【００２１】
　以下、本発明の実施形態について説明する。本実施形態では、椅子システムの一例として、座面及び背凭れ部が柔らかい材料で構成されたソファーを用いてソファーシステムについて説明する。
　図１は、本実施形態におけるソファーシステムの一例を示す斜視図である。図２は、本実施形態におけるソファーシステムの一例を示す側面図である。なお、図２では、後述するカウンター用チェアーの図示を省略している。
　図１，２に示すように、ソファーシステム１は、ソファーセット１０と、ソファーセット１０の背面側に配置された３枚のパネル体１１、パネル体１１の背面側に配置されたカウンター２００と、カウンター２００を利用する利用者が着座可能なカウンター用チェアー２１０と、ソファーセット１０の正面に配置された壁Ｗに設けられたスクリーンＳと、を備えている。
　このソファーシステム１では、ソファーセット１０及びカウンター２００を利用する複数の利用者が、スクリーンＳに映し出される映像を見ながら会議等を行うことができる。
　ここで、便宜上、ソファーシステム１において、ソファーセット１０が配置される側（図１に示す紙面右側）を前側とし、カウンター２００が配置される側（図１に示す紙面左側）を後側とする。また、前後方向と直交する水平方向を左右方向とする。
　【００２２】
（ソファーセット）
　本実施形態では、ソファーセット１０は、間隔を有して配置された複数のソファー（椅子）１００と、ソファー１００の正面に配置された複数のテーブル１１０と、ソファー１００間に配置されたサイドテーブル１１５と有している。サイドテーブル１１５上には、プロジェクター１１６が設置されている。このプロジェクター１１６は、壁Ｗに設けられたスクリーンＳに映像を投影する。なお、本実施形態では、ソファー１００、テーブル１１０は、それぞれ２個ずつ設けられている。
　【００２３】
　各ソファー１００は、床面上に設置され上方に向かって延びる複数の脚部１０１と、これら脚部１０１に支持された座部１０２と、脚部１０１に支持され着座者の背を受ける背凭れ部１０３とを有している。座部１０２及び背凭れ部１０３は、ウレタン等の弾性変形可能な材料で構成されている。
　【００２４】
　脚部１０１は、ソファー１００の奥行方向および幅方向に間隔を有して設けられている。これら脚部１０１の上端は、座部１０２の下面に設けられた支持プレート１０５に取り付けられている。この座部１０２の上面は、利用者が着座可能な座面とされている。
　【００２５】
　背凭れ部１０３は、湾曲形成された板状に形成され、下端が座部１０２に連結されるとともに座部１０２から上方に向かって延びている。背凭れ部１０３に沿って、複数のクッション１０４が配置されている。
　【００２６】
（パネル体）
　本実施形態では、ソファー１００の背面に沿って、３枚のパネル体（区画部）１１が隣接配置されている。３枚のパネル体１１のうち真ん中に配置されたパネル体１１は、平面板状に形成されている。また、３枚のパネル体１１のうち両端に配置されたパネル体１１は、平面視において湾曲した湾曲形状とされている。以下においては、パネル体１１が平面板状であるものとして説明を行う。
　【００２７】
　図３は、パネル状の基材の構成を示す斜視展開図である。図４は、基材の板厚方向中間部における半断面図である。図５は、基材の端部を示す上面図である。図６は、基材の直線部の構造を示す断面図である。図７は、基材のコーナー部の構造を示す断面図である。
　図３に示すように、パネル体１１は、パネル基材１２と、パネル基材１２の両面に沿って設けられたクッション材１３と、パネル基材１２およびクッション材１３を覆う表皮材１４と、固定部材３０と、を備えている。
　【００２８】
（パネル基材）
　パネル基材１２は、パネル状の芯材１５と、芯材１５の外周部に沿って設けられたフレーム２０と、芯材１５およびフレーム２０の両面を覆うように設けられたベースシート１８と、を備えている。
　【００２９】
　芯材１５は、例えば紙系材料、樹脂系材料、木質系材料等から形成されている。この芯材１５は、なるべく軽量とするのが好ましい。そこで、本実施形態では、芯材１５は、紙系材料から形成され、板厚方向に貫通する孔１５ｈが多数並設された、例えば断面六角形状の複数の孔１５ｈが千鳥状に組み合わされたハニカム構造とされている。
　【００３０】
（フレーム）
　図３、図４に示すように、この芯材１５の外周部には、フレーム２０が設けられている。フレーム２０は、芯材１５の四辺に沿って設けられた枠材２１Ａ，２１Ｂ，２１Ｃ，２１Ｄを備えている。各枠材２１Ａ，２１Ｂ，２１Ｄ，２１Ｄは、金属系材料、樹脂系材料等から形成されている。
　枠材２１Ａ，２１Ｂは、芯材１５において互いに対向する２辺に沿って上下方向に延在し、パネル体１１の幅方向両側に設けられている。枠材２１Ｃ，２１Ｄは、枠材２１Ａ，２１Ｂに直交して横方向に延在し、パネル体１１の上下方向両側に設けられている。これら枠材２１Ａ，２１Ｂと枠材２１Ｃ，２１Ｄとは、Ｌ字状のブラケット２２を介し、ボルト２３、あるいは溶接、接着等によって接合されている。これら枠材２１Ａ，２１Ｂ，２１Ｃ，２１Ｄによって、全体として矩形状をなしたフレーム２０が形成されている。
　【００３１】
　図５〜図７に示すように、各枠材２１Ａ，２１Ｂ，２１Ｃ，２１Ｄは、フレーム２０の内周側の芯材１５の外周端面１５ａに対向する基部２１ｅと、基部２１ｅの幅方向両側からそれぞれフレーム２０の外周側に向けて立ち上がる側壁部２１ｆと、からなる、断面略Ｕ字状に形成されている。これにより、基部２１ｅと、両側の側壁部２１ｆ，２１ｆとに囲まれた部分は、溝２５とされている。
　このようにして、パネル基材１２は、その外周端部に沿って連続し、パネル基材１２の内方に向けて凹んだ溝２５を有している。
　【００３２】
　ここで、図４に示すように、Ｌ字状のブラケット２２は、枠材２１Ａまたは２１Ｂに沿って枠材２１Ａまたは２１Ｂの端部に設けられる第一プレート部２２ａと、第一プレート部２２ａに直交し、枠材２１Ｃまたは２１Ｄに沿って枠材２１Ｃまたは２１Ｄの端部に設けられる第二プレート部２２ｂと、第一プレート部２２ａおよび第二プレート部２２ｂに沿ってＬ字状のブラケット２２の屈曲方向内側に設けられたリブ部２２ｃとが一体に形成されている。
　【００３３】
　Ｌ字状のブラケット２２の第一プレート部２２ａ、第二プレート部２２ｂには、雌ネジ部２９が形成されている。またブラケット２２の第一プレート部２２ａに沿う枠材２１Ａまたは２１Ｂの基部２１ｅと、第二プレート部２２ｂに沿う枠材２１Ｃまたは２１Ｄの基部２１ｅには、それぞれ、雌ネジ部２９に対向した位置に、貫通孔２８が形成されている。
　【００３４】
　リブ部２２ｃは、第一プレート部２２ａおよび第二プレート部２２ｂから、第一プレート部２２ａおよび第二プレート部２２ｂに直交して、パネル体１１の内周側に向けて突出形成されている。このリブ部２２ｃは、第一プレート部２２ａおよび第二プレート部２２ｂの幅方向両側、つまり、パネル体１１の一面側と他面側とにそれぞれ形成されている。このリブ部２２ｃは、第一プレート部２２ａおよび第二プレート部２２ｂの曲げ強度を高める補強部材として機能するだけでなく、芯材１５の角部の押さえ部材としても機能することができる。すなわち、パネル基材１２の一面側と他面側にそれぞれ設けられたリブ部２２ｃの間に芯材１５が挟み込まれる。パネル基材１２においては、四隅にこのようなブラケット２２が設けられることにより、芯材１５をフレーム２０の内側に保持できるようになっている。
　【００３５】
　なおここで、図３では、平面板状のパネル体１１の例を示したが、パネル体１１が平面視において略Ｌ字状、略Ｃ字状等に湾曲形成された構成の場合には、フレーム２０の上下の枠材２１Ｃ，２１Ｄまたは左右の枠材２１Ａ，２１Ｂを，パネル体１１の形状に合わせて湾曲させる。ソファーシステム１の両端に配置されたパネル体１１の両端部は、ソファーシステム１の幅方向外側に向かうにしたがって次第に前方に向かうように湾曲している。つまり、隣接配置された３枚のパネル体１１は、平面視において、カウンター２００側に向かって膨らむように配置されている。
　【００３６】
　図６、図７に示すように、フレーム２０および芯材１５を覆うように、芯材１５の両面には、シート状のベースシート１８が設けられている。ベースシート１８は、例えばボール紙等から形成されている。このベースシート１８は、芯材１５よりも外形寸法が大きく、その外周部１８ａがフレーム２０の表面２０ｆに接着剤等により接着されている。
　【００３７】
（クッション材）
　クッション材１３は、パネル基材１２の表面を形成するベースシート１８に沿って設けられている。クッション材１３は、ベースシート１８を介して、芯材１５の全体を覆うように設けられている。さらに、クッション材１３は、その外周端部１３ｓが、フレーム２０を構成する各枠材２１Ａ，２１Ｂ，２１Ｃ，２１Ｄの側壁部２１ｆを覆うように設けられている。つまり、クッション材１３は、芯材１５およびフレーム２０を覆うように設けられている。
　このクッション材１３は、柔軟性および弾性を有した材料、例えば発泡ウレタン材等から形成されている。
　【００３８】
　図８は、パネル基材１２の表面に沿って設けられたクッション材１３を示す断面図であり、（ａ）は表皮材１４を非装着の状態におけるクッション材１３の断面図、（ｂ）は表皮材１４を装着した状態におけるクッション材１３の断面図である。
　図３に示すように、クッション材１３には、複数の貫通孔１６が形成されている。貫通孔１６は、例えば、上下方向を長軸方向とした長円形状とされている。そして、クッション材１３の外表面１３ｆには、複数の貫通孔１６が、上下方向および上下方向に直交する横方向に、間隔を空けて配列されている。
　【００３９】
　図６、図８に示すように、各貫通孔１６は、クッション材１３においてパネル基材１２とは反対側を向く外表面１３ｆからパネル基材１２側に対向する対向面１３ｇまで、クッション材１３の厚さ方向に貫通して形成されている。図８（ａ）に示すように、各貫通孔１６は、その内周面１６ｆが外表面１３ｆと直交して形成されている。これにより、貫通孔１６の周縁に角部１６ｖが形成されている。
　このような貫通孔１６が形成されたクッション材１３をパネル基材１２の表面に設けることで、パネル基材１２の表面に角部１６ｖを有する凹凸形状が形成される。
　【００４０】
（表皮材）
　図６、図８に示すように、表皮材１４は、クッション材１３の全体を覆うよう設けられている。表皮材１４は、クッション材１３の外表面１３ｆと、貫通孔１６において外表面１３ｆに直交する内周面１６ｆと、貫通孔１６の底部に露出するベースシート１８の露出面１８ｆとに沿うよう、接着されている。このようにして、表皮材１４が、クッション材１３に形成された複数の貫通孔１６に沿うことで、パネル体１１の表面には、複数の長円形状の凹部１７が形成されている。そして、各凹部１７において、表皮材１４は、貫通孔１６を通して、パネル基材１２の表面を形成するベースシート１８に接着されている。
　ここで、表皮材１４は、例えばポリエステル等、弾性変形可能な材質で形成され、伸長した状態でクッション材１３及びパネル基材１２を覆っている。クッション材１３は、外表面１３ｆ側の貫通孔１６の周縁において外方に向けて凸となる角部１６ｖが、表皮材１４によって内方に向けて押圧される。これにより、クッション材１３は、角部１６ｖにおいて圧縮方向に弾性変形し、貫通孔１６の角部１６ｖは、円弧状断面とされている。
　これにより、表皮材１４が角部１６ｖに突き当たった部分で角部１６ｖの反発力によって押圧される。したがって、凹部１７の形状が維持されるとともに、表皮材１４がクッション材１３の外表面１３ｆに沿った方向で図８（ｂ）中に矢印Ｔで示す方向に伸長され、表皮材１４が弛むのを抑えることができる。
　【００４１】
　また、図６、図７に示すように、クッション材１３および表皮材１４は、パネル基材１２よりも大きな外形寸法を有している。そして、クッション材１３および表皮材１４は、その外周端部１３ｅ，１４ｅが、パネル基材１２の外周縁部、つまり各枠材２１Ａ，２１Ｂ，２１Ｃ，２１Ｄの側壁部２１ｆを回り込んで、溝２５内側に巻き込まれている。このクッション材１３および表皮材１４の外周端部１３ｅ，１４ｅが、各枠材２１Ａ，２１Ｂ，２１Ｃ，２１Ｄの側壁部２１ｆを回り込む部分で、クッション材１３が表皮材１４によって圧縮される。これにより、パネル体１１は、外周端部１１ｓに向かうにしたがって、その厚みが漸次小さくするように形成されている。また、パネル体１１は、外周端部１１ｓにおいてクッション材１３および表皮材１４が各枠材２１Ａ，２１Ｂ，２１Ｃ，２１Ｄの側壁部２１ｆを回り込む部分で、丸く円弧状に形成されている。
　このように、クッション材１３および表皮材１４の縁部のうち芯材１５の外周面側に配置される部分は、芯材１５の外周端面（縁部）１５ａよりも外方に向かって突出する突出部１３ｔ，１４ｔとされている。
　【００４２】
（固定部材）
　固定部材３０は、溝２５に嵌め込まれている。固定部材３０は、溝２５内側に巻き込まれたクッション材１３および表皮材１４の外周端部１３ｅ，１４ｅを、溝２５の内周面と固定部材３０の外周面との間に挟み込んでいる。これにより、クッション材１３および表皮材１４の外周端部１３ｅ，１４ｅをフレーム２０の側壁部２１ｆに固定している。
　【００４３】
　ここで、図３に示すように、固定部材３０は、矩形状のパネル基材１２の外周部の直線部分１２Ｓに配置される直線部固定部材３０Ｓと、矩形状のパネル基材１２の外周部のコーナー部１２Ｃに配置されるコーナー部固定部材３０Ｃと、を備えている。
　【００４４】
　図６に示すように、直線部固定部材３０Ｓは、直線部固定部材３０Ｓが連続する方向に直交する断面形状が、互いに平行に位置する側部プレート部３１，３１と、側部プレート部３１，３１どうしを一体に連結する連結プレート部３２と、を備えている。
　【００４５】
　側部プレート部３１，３１は、フレーム２０の溝２５を形成する側壁部２１ｆとの間に、クッション材１３および表皮材１４の外周端部１３ｅ，１４ｅを挟み込む。このため、側部プレート部３１，３１の間隔は、溝２５の側壁部２１ｆ，２１ｆの間隔よりも所定寸法小さく形成されている。これら側部プレート部３１，３１は、直線部固定部材３０Ｓを溝２５内に嵌め込んだときに、先端部３１ａ，３１ａが溝２５の基部２１ｅに突き当たるよう形成されている。
　【００４６】
　連結プレート部３２は、側部プレート部３１，３１の先端部３１ａ，３１ａよりも、溝２５の基部２１ｅから離間する方向にオフセットして形成されている。これにより、直線部固定部材３０Ｓは、側部プレート部３１，３１と連結プレート部３２とにより、断面略Ｈ字状をなしている。そして、直線部固定部材３０Ｓは、溝２５内に嵌め込んだ状態で、側部プレート部３１，３１の先端部３１ａ，３１ａ側と、連結プレート部３２と、溝２５の基部２１ｅとに囲まれた部分に、空間Ｓ１が形成されるようになっている。この空間Ｓ１は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たった部分よりも先端部分（不図示）を収容できる収容空間として機能する。
　【００４７】
　また、側部プレート部３１，３１において、溝２５の側壁部２１ｆ，２１ｆに対向する側には、突起３３，３３が形成されている。この突起３３，３３は、側部プレート部３１，３１と側壁部２１ｆ，２１ｆとの間に挟み込まれたクッション材１３および表皮材１４の外周端部１３ｅ，１４ｅに食い込むようになっている。これにより、直線部固定部材３０Ｓは、クッション材１３および表皮材１４が溝２５から抜け出ることを防止している。
　【００４８】
　さらに、側部プレート部３１，３１において、連結プレート部３２よりも溝２５の基部２１ｅから離間する側には、側部プレート部３１，３１から内方に向けて突出する突条３４，３４が形成されている。そして、これら突条３４，３４と、側部プレート部３１，３１と、連結プレート部３２とに囲まれて、オプション部材等を装着するための保持溝３５が形成されている。
　【００４９】
　図４に示すように、パネル体１１の上部のコーナー部に配置されるコーナー部固定部材３０Ｃは、上下方向に延びる第一直線状部３８Ａと、第一直線状部３８Ａの上端から屈曲して横方向に延びる第二直線状部３８Ｂとから、略Ｌ字状に形成されている。
　第一直線状部３８Ａは、上下方向に延びる枠材２１Ａまたは枠材２１Ｂの上端部において溝２５内に嵌め込まれる。第二直線状部３８Ｂは、第一直線状部３８Ａの一端から連続して形成され、横方向に延びる枠材２１Ｃまたは枠材２１Ｄの両端部において溝２５内に嵌め込まれる。
　【００５０】
　図７に示すように、第一直線状部３８Ａ、第二直線状部３８Ｂは、それぞれが連続する方向に直交する断面形状が、互いに平行に位置する側部プレート部３６，３６と、側部プレート部３６，３６どうしを一体に連結する連結プレート部３７と、を備えている。
　【００５１】
　側部プレート部３６，３６は、フレーム２０の溝２５を形成する側壁部２１ｆ，２１ｆとの間に、クッション材１３および表皮材１４の外周端部１３ｅ，１４ｅを挟み込む。このため、側部プレート部３６，３６の間隔は、溝２５の側壁部２１ｆ，２１ｆの間隔よりも所定寸法小さく形成されている。これら側部プレート部３６，３６は、コーナー部固定部材３０Ｃを溝２５内に嵌め込んだときに、先端部３６ａ，３６ａが溝２５の基部２１ｅに突き当たるよう形成されている。
　ここで、側部プレート部３６，３６において、溝２５の側壁部２１ｆ，２１ｆに対向する側に、凸部３６ｔ，３６ｔが形成されている。この凸部３６ｔ，３６ｔは、側部プレート部３１，３１と側壁部２１ｆ，２１ｆとの間にクッション材１３および表皮材１４の外周端部１３ｅ，１４ｅを挟み込むようになっている。
　【００５２】
　連結プレート部３７は、側部プレート部３６，３６の先端部３６ａ，３６ａよりも、溝２５の基部２１ｅから離間する方向にオフセットして形成されている。これにより、コーナー部固定部材３０Ｃは、側部プレート部３６，３６と連結プレート部３７により、断面略Ｈ字状をなしている。そして、直線部固定部材３０Ｓは、溝２５内に嵌め込んだ状態で、側部プレート部３６，３６の先端部３６ａ，３６ａ側と、連結プレート部３７と、溝２５の基部２１ｅとに囲まれた部分に、空間Ｓ２が形成されるようになっている。この空間Ｓ２は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たって部分よりも先端部分（不図示）を収容できる収容空間として機能する。なおここで、連結プレート部３７は、直線部固定部材３０Ｓにおける連結プレート部３２よりも基部２１ｅに近く、空間Ｓ２は、空間Ｓ１よりも小さく形成されている。
　【００５３】
　図４に示すように、このようなコーナー部固定部材３０Ｃは、溝２５に対し、コーナーキャップ４０によって固定されている。コーナーキャップ４０は、第一直線状部４１Ａと、第一直線状部４１Ａの一端に連続し、第一直線状部４１Ａに直交して延びる第二直線状部４１Ｂとからなる略Ｌ字状をなしている。図７に示すように、これら第一直線状部４１Ａ，第二直線状部４１Ｂは、コーナー部固定部材３０Ｃの第一直線状部３８Ａ，第二直線状部３８Ｂに対し、側部プレート部３６，３６との間に挿入され、連結プレート部３７に突き当てられている。
　そして、図４に示すように、第一直線状部４１Ａの下端部には、突起片４３が下方に向けて突出形成されている。この突起片４３が、直線部固定部材３０Ｓの上端部において、連結プレート部３２と突条３４との間の保持溝３５（図６参照）に挿入されている。
　また、図４に示すように、第二直線状部４１Ｂには、ボルト４５を挿入するボルト挿通孔４４が形成されている。このボルト挿通孔４４に挿通させたボルト４５により、コーナーキャップ４０と、コーナー部固定部材３０Ｃ、枠材２１Ｃ、ブラケット２２の第二プレート部２２ｂが一体に締結されている。
　【００５４】
（支持脚体）
　図４に示すように、上記したようなパネル体１１の下部のコーナー部には、コーナー部固定部材３０Ｃとして、支持脚体５０が設けられている。この支持脚体５０は、床面に接地することで、パネル体１１を床面上に立設させる。
　支持脚体５０は、フレーム２０の下部端部の溝２５内に収容される下部支持部５１と、下部支持部５１の一端から上方に延び、フレーム２０の側部の下端部の溝２５内に収容される側部支持部５２と、下部支持部５１よりも下方に延びる支持脚部５３と、を一体に備えている。
　【００５５】
　下部支持部５１はフレーム２０の下端部の溝２５の底面を形成する基部２１ｅに突き当てて固定されている。また、側部支持部５２は、フレーム２０の側端部の溝２５の底面を形成する基部２１ｅに突き当てて固定されている。
　下部支持部５１および側部支持部５２には、ボルト４８が挿通されるボルト挿通孔５４が形成されている。このボルト挿通孔５４に挿通されるボルト４８は、溝２５の基部２１ｅの所定の位置に形成された雌ネジ孔部２９にねじ込まれるようになっている。これにより、支持脚体５０が、パネル体１１に固定される。
　【００５６】
　支持脚部５３は、下部支持部５１よりも下方に延び、その下端部に、高さ調整ネジ４９がねじ込み可能とされている。
　【００５７】
（カウンター）
　図１，２に示すように、カウンター２００は、パネル体１１の後面１１Ａに沿って配置されている。カウンター２００は、床面から立設された複数の支持脚２０１と、支持脚２０１の上部同士を連結する天板支持杆２０２と、支持脚２０１の下部同士を連結する前後杆２０３と、前後杆２０３同士を連結する左右杆２０４と、天板支持杆に支持される天板２０５とを有している。カウンター２００の後方には、複数のカウンター用チェアー２１０が配置されている。
　【００５８】
　各支持脚２０１は、管状に形成されている。支持脚２０１は、前後方向に離間して配置されている。また、支持脚２０１は、左右方向において、隣接配置された３枚のパネル体１１の左右両端に対応する位置と、隣接するパネル体１１の境界に対応する位置にそれぞれ配置されている。
　【００５９】
　天板支持杆２０２は、前後方向に配置された支持脚２０１の上部同士を連結している。天板支持杆２０２は、例えば、板金を折曲加工することにより形成されている。この天板支持杆２０２は、支持脚２０１の上部に溶接等により接合されている。
　【００６０】
　天板支持杆２０２には、側方に延びる支持板２０２Ａ（図２２参照）が設けられている。左右方向両端部に配置される天板支持杆２０２には、左右方向向中央側に向かって延びる支持板２０２Ａ（図２２参照）が設けられている。左右方向中央側に配置される天板支持杆２０２には、左右両側に向かって延びる支持板２０２Ａ（図２３参照）が設けられている。
　【００６１】
　前後杆２０３は、前後方向に配置された支持脚２０１の下部同士を連結している。前後杆２０３は、例えば、板金を折曲加工することにより形成されている。
　【００６２】
　前後杆２０３には、側方に延びる取付部２０３Ａ（図２４参照）が設けられている。左右方向両端部に配置される前後杆２０３には、左右方向中央側に向かって延びる取付部２０３Ａ（図２４参照）が設けられている。左右方向中央側に配置される前後杆２０３には、左右両側に向かって延びる取付部２０３Ａ（図２５参照）が設けられている。
　【００６３】
　左右杆２０４は、前後杆２０３の取付部２０３Ａを内包するように配置されるとともに、取付部２０３Ａに螺子２０４Ｚ（図２４，２５参照）で螺合されている。これにより、左右杆２０４と前後杆２０３とは、連結されている。左右杆２０４には、左右方向に離間して床面から立設された補助脚２０４Ａが設けられている。
　【００６４】
　天板２０５は、板状に形成されている。天板２０５の上面２０５Ｔは、作業面とされている。天板２０５の前端２０５Ａは、左右方向中央部において直線状に延び、左右方向両端部において側方に向かうにしたがって次第に前方に向かうように湾曲形成されている。
　【００６５】
　天板２０５には、天板支持杆２０２の支持板２０２Ａの設けられた取付孔２０２Ｘ（図２２，２３参照）から挿通された螺子２０２Ｚ（図２２，２３参照）が螺合されている。これにより、天板２０５は、パネル体１１の後面１１Ａに沿って配置されている。
　【００６６】
　天板２０５の高さは、例えば、床面から約９００〜１０００ｍｍとされている。このため、利用者は、ソファー１００と反対側（後側）から立位姿勢でカウンター２００の天板２０５を利用することができる。また、平面視において、天板２０５の内方に支持脚２０１は配置されている。なお、天板２０５の高さは、９００〜１０００ｍｍに限られず、立位姿勢で利用可能な高さに設定されていればよい。
　【００６７】
　次に、各部材同士の連結構造について説明する。
（パネル体同士の連結構造）
　まず、パネル体１１，１１同士の連結構造について説明する。
　図９は、パネル体１１の下部の角部に設けられた支持脚体５０、およびパネル体１１，１１どうしの下部における連結構造の一例を示す斜視図である。図１０は、パネル体１１，１１どうしの下部における連結構造を示す断面図である。
　図９、図１０に示すように、支持脚体５０には、隣接して配置される他のパネル体１１と連結するための下側連結部５５の一端が係止可能とされている。このため、支持脚体５０には、下部支持部５１よりも下方に膨出した膨出部５６が一体に形成されている。
　【００６８】
　そして、この膨出部５６には、パネル体１１の厚さ方向に沿った支持脚体５０の中間部に、プレート状の下側連結部５５の一端が挿入可能なスリット５７が形成されている。スリット５７は、膨出部５６において他方のパネル体１１に隣接する側の側面５６ａおよび下面５６ｂに開口している。
　図１０に示すように、スリット５７の上部には、後述する下側連結部５５の突起部５８Ａが挿入される挿入凹部５７ａが、上方に向けて凹んで形成されている。そして、スリット５７の上部において、膨出部５６の側面５６ａ側には、挿入凹部５７ａに隣接して、下方に向けて突出する突起部５７ｂが形成されている。
　【００６９】
　また、膨出部５６には、スリット５７内に挿入された下側連結部５５を係止するための、係止孔５６ｈが、パネル体１１の厚さ方向に沿って貫通形成されている。
　【００７０】
　下側連結部５５は、両端部にそれぞれ貫通孔５５ｈが形成されている。また、下側連結部５５の両端部には、それぞれ、上方に向けて突出する突起部５８Ａが形成されている。また、下側連結部５５には、両端部の突起部５８Ａ，５８Ａの間に、上方に向けて突出する中央突起部５８Ｂが形成されている。そして、中央突起部５８Ｂと、その両側の突起部５８Ａとの間には、下方に向けて凹となる係合凹部５８Ｃが形成されている。
　【００７１】
　突起部５７ｂおよび係合凹部５８Ｃは、膨出部５６の側面５６ａ側、中央突起部５８Ｂ側が、上下方向に延在する鉛直面５７ｆ、５８ｆとされ、その反対側が、上方に行くにしたがい鉛直面５７ｆ、５８ｆから離間する傾斜面５７ｇ、５８ｇとされている。これにより、突起部５７ｂおよび係合凹部５８Ｃは、いずれも下方に行くにしたがいその幅寸法が漸次小さくなるテーパ状をなしている。
　この係合凹部５８Ｃに、スリット５７の突起部５７ｂが嵌め込まれることで、下側連結部５５と支持脚体５０とを、パネル体１１，１１が隣り合う方向において、容易に位置決めできるようになっている。
　【００７２】
　互いに隣接するパネル体１１，１１どうしを連結するには、貫通孔５５ｈが形成された下側連結部５５の両端部を、支持脚体５０のスリット５７に挿入する。下側連結部５５の両端部の係合凹部５８Ｃに、それぞれ、両側のパネル体１１に設けられた支持脚体５０の突起部５７ｂを嵌め込む。ここで、突起部５７ｂおよび係合凹部５８Ｃは、いずれも下方に行くにしたがいその幅寸法が漸次小さくなるテーパ状をなしている。したがって、係合凹部５８Ｃに突起部５７ｂが挿入されることで、下側連結部５５と支持脚体５０とが、パネル体１１，１１が隣り合う方向において互いに位置決めされる。これにより、下側連結部５５に形成された両端部の貫通孔５５ｈと、支持脚体５０の係止孔５６ｈとが連通する。そこで、これら貫通孔５５ｈ及び係止孔５６ｈに連結ボルト５９を挿通・締結させる。このように、下側連結部５５が互いに隣接する１１，１１の支持脚体５０，５０どうしを連結することによって、パネル体１１，１１どうしが下端部で連結される。
　これら支持脚体５０，５０と、下側連結部５５とが、隣接するパネル体１１の下端部どうしを連結する下側連結部を構成している。
　【００７３】
　図１１は、パネル体１１，１１どうしの上部における連結構造の一例を示す斜視図である。
　この図１１に示すように、互いに隣接するパネル体１１，１１どうしは、それぞれの上端部どうしを、上側連結部６１によって連結することができる。
　この上側連結部６１は、コーナーキャップ４０に代えて、コーナー部固定部材３０Ｃに取り付けられる。上側連結部６１の両端部６１ａ，６１ａには、ボルト挿通孔６２が形成されている。
　また、上側連結部６１の中間部６１ｂの下面側には、互いに隣接するパネル体１１，１１の上部に配置されたコーナー部固定部材３０Ｃ．３０Ｃの間隔を規制する間隔規制部６３が下方に向けて突出形成されている。間隔規制部６３が、互いに隣接するパネル体１１，１１の上部に配置されたコーナー部固定部材３０Ｃ，３０Ｃの間に挿入されることで、パネル体１１，１１どうしの間隔を規制することができる。
　このような上側連結部６１によって、互いに隣接するパネル体１１，１１の上端部どうしを連結するには、以下のようにする。
　まず、上側連結部６１を、互いに隣接するパネル体１１，１１の上部に配置されたコーナー部固定部材３０Ｃ．３０Ｃ上に載せる。このとき、上側連結部６１の両端部６１ａ，６１ａの下面が、コーナー部固定部材３０Ｃの第二直線状部３８Ｂに対し、側部プレート部３６，３６との間に挿入され、連結プレート部３７に突き当てられている。そして、間隔規制部６３が、互いに隣接するパネル体１１，１１の上部に配置されたコーナー部固定部材３０Ｃ，３０Ｃの間に挿入されることで、パネル体１１，１１どうしの間隔を規制することができる。より具体的には、間隔規制部６３の両側面６３ａ，６３ａに、コーナー部固定部材３０Ｃの第一直線状部３８Ａの連結プレート部３７に突き当てることで、パネル体１１，１１どうしの間隔を適正に位置決めできる。この状態で、ボルト挿通孔６２に挿通させたボルト６４により、上側連結部６１と、コーナー部固定部材３０Ｃ、枠材２１Ｃ（図４参照）、ブラケット２２の第二プレート部２２ｂ（図４参照）を一体に締結する。これによって、互いに隣接するパネル体１１，１１の上端部どうしが連結される。
　このように、下側連結部５５と上側連結部６１により、パネル体１１どうしを固定する連結部材が構成されている。
　また、一のパネル体１１と下側連結部５５及び上側連結部６１とにより、他のパネル体１１に連結可能なパネルユニットが構成されている。
　【００７４】
　図１２は、パネル体１１，１１どうしの連結部分の構造を示す断面図である。
　図１２に示すように、一のパネル体１１の外周端部１１ｓと、他のパネル体１１の芯材１５の外周端面１５ａとは、距離を保持した状態で、パネル体１１，１１どうしは固定されている。一方で、パネル体１１の芯材１５の外周端面１５ａよりも外方に突出するクッション材１３，１３の突出部１３ｔ，１３ｔどうしは、表皮材１４，１４の突出部１４ｔ，１４ｔを介在させて当接している。クッション材１３，１３の突出部１３ｔ，１３ｔどうしは互いに対向方向に押圧し合い、突出部１３ｔ，１３ｔの先端部分は丸くなるように弾性変形している。これにより、当接している突出部１３ｔ，１３ｔの当接面積は大きくなる。
　【００７５】
（ソファーとパネル体との連結構造）
　次に、ソファー１００とパネル体１１との連結構造について説明する。
　図１３は、ソファー１００とパネル体１１との連結部分の構造を示す側面図である。図１４は、図１３の要部の拡大図である。図１５は、ソファー１００とパネル体１１との連結部分の構造のうち、隣接配置された複数のパネル体１１の端部の断面図である。図１６は、ソファー１００とパネル体１１とを連結する上側の第一連結部材の斜視図である。図１７は、ソファー１００とパネル体１１との連結部分の構造のうち、隣接配置された複数のパネル体１１の中間部分の断面図である。
　【００７６】
　図１３から図１７に示すように、ソファー１００の上部とパネル体１１の上部とは什器上連結部材（第一連結部材）７１を介して連結されている。
　【００７７】
　什器上連結部材７１は、第一プレート部７１Ａと、第一プレート部７１Ａに連結された第二プレート部７１Ｂとを有している。第一プレート部７１Ａは、パネル体１１の幅方向端部の溝２５に設けられている。第一プレート部７１Ａは、直線部固定部材３０Ｓに取り付けられ、ソファー１００側に延びている。第二プレート部７１Ｂは、ソファー１００の背凭れ部１０３の上端部を係止する。
　【００７８】
　第一プレート部７１Ａは、直線部固定部材３０Ｓの突条３４に沿って配置される突起係合部７２と、突起係合部７２の端部から屈曲し一の突条３４Ａ（３４）における他の突条３４Ｂ（３４）に対向する側に沿って配置される側壁部７３とを有している。
　【００７９】
　突起係合部７２は、他の突条３４Ｂにおける溝２５の基部２１ｅを向く面に沿って配置されている。また、突起係合部７２の端部は、他の突条３４Ｂが設けられた側の側部プレート部３１Ｂに突き当たっている。
　【００８０】
　側壁部７３において、一の突条３４Ａが設けられた側の側部プレート部３１Ａを向く面には、緩衝部７３Ａが設けられている。緩衝部７３Ａは、側部プレート部３１Ａに向かって凸となる形状とされるとともに、側部プレート部３１Ａに当接している。緩衝部７３Ａとして、弾性変形可能なゴム等の樹脂を採用することができる。ここで、什器上連結部材７１に対してソファー１００側への力が作用した場合には、側壁部７３には緩衝部７３Ａがあるため、側壁部７３の側部プレート部３１Ａへの接触、衝突を抑制することができる。これにより、側壁部７３及び側部プレート部３１Ａの破損が抑制される。
　【００８１】
　さらに、第一プレート部７１Ａは、側壁部７３の端部からソファー１００が配置される側に向かって屈曲して延びる湾曲壁部７４と、湾曲壁部７４の端部に連続して延びる延出壁部７５とを有している。これら突起係合部７２、側壁部７３、湾曲壁部７４及び延出壁部７５は、一体に形成されている。
　【００８２】
　湾曲壁部７４は、パネル体１１の外周端部１３ｓに沿って配置されている。また、延出壁部７５は、ソファー１００が配置される側のパネル体１１の表皮材１４に沿って配置されている。
　【００８３】
　この第一プレート部７１Ａにおいて、突起係合部７２が突条３４Ｂに当接しているため、什器上連結部材７１は溝２５から抜ける方向の移動が規制される。また、突起係合部７２の端部が側部プレート部３１Ｂに突き当たっているため、什器上連結部材７１はソファー１００側と反対側への移動が規制されている。また、側壁部７３に設けられた緩衝部７３Ａは側部プレート部３１Ａに当接しているため、什器上連結部材７１はソファー１００側への移動が規制されている。このようにして、第一プレート部７１Ａは、溝２５に配置された直線部固定部材３０Ｓに取り付けられている。
　【００８４】
　第二プレート部７１Ｂは、第一プレート部７１Ａの延出壁部７５よりも背面側に配置される取付壁部７６と、取付壁部７６の上端からソファー１００側に向かって延びる上壁部７７とを有している。
　【００８５】
　さらに、第二プレート部７１Ｂは、上壁部７７の端部からソファー１００側に向かうにしたがって下方に向かうように湾曲した湾曲壁部７８と、湾曲壁部７８の下端から下方に向かって延びる垂下壁部７９とを有している。これら取付壁部７６、上壁部７７、湾曲壁部７８及び垂下壁部７９は、一体に形成されている。
　【００８６】
　本実施形態では、第一プレート部７１Ａと第二プレート部７１Ｂとは、互いに延出壁部７５と取付壁部７６とが溶接により連結されている。
　【００８７】
　什器上連結部材７１において、取付壁部７６はパネル体の前面に沿って配置され、取付壁部７６と連結された延出壁部７５はソファー１００の背凭れ部１０３の背面に沿って配置されている。上壁部７７及び湾曲壁部７８は、背凭れ部１０３の上端部に沿って配置されている。垂下壁部７９は、背凭れ部１０３の前面に沿って配置されている。このようにして、第一プレート部７１Ａの延出壁部７５及び第二プレート部７１Ｂは、背凭れ部１０３の上端部を上下方向に係止している。
　【００８８】
　このとき、パネル体１１における什器上連結部材７１の湾曲壁部７４が配置される側のクッション部材１３Ｐは、湾曲壁部７４によりパネル体１１の幅方向内側に向かって押圧されている。これにより、什器上連結部材７１が配置される側のクッション部材１３Ｐの幅寸法は、什器上連結部材７１が配置されない側のクッション部材１３Ｑの幅寸法よりも短くなる。また、クッション部材１３Ｑの端部と、クッション部材１３Ｐに沿って配置された什器上連結部材７１の湾曲壁部７４の端面とは、面一とされている。
　【００８９】
　また、什器上連結部材７１が配置されない側のクッション部材１３Ｑの突出部１３ｔおよびクッション材１３Ｑと対向するように隣接配置されたパネル体１１のクッション材１３の突出部１３ｔは、互いに対向方向に押圧し合う。これにより、突出部１３ｔ，１３ｔの先端部分は丸くなるように弾性変形している。これにより、当接している突出部１３ｔ，１３ｔの当接面積は大きくなる。
　また、什器上連結部材７１が配置される側のクッション部材１３Ｐの突出部１３ｔおよびクッション材１３Ｐと対向する他のパネル体１１のクッション材１３の突出部１３ｔは、什器上連結部材７１の湾曲壁部７４を介して互いに対向方向に押圧し合う。これにより、突出部１３ｔ，１３ｔの先端部分は丸くなるように弾性変形している。これにより、当接している突出部１３ｔ，１３ｔの当接面積は大きくなる。
　【００９０】
　図１８は、図１３の要部の拡大図である。図１９は、ソファー１００とパネル体１１とを連結する下側の第一連結部材の斜視図である。
　【００９１】
　図１３，図１８、図１９に示すように、ソファー１００の下部とパネル体１１の下部とは什器下連結部材（第一連結部材）８１を介して連結されている。
　【００９２】
　ここで、パネル体１１の下端部に設けられた溝２５には、下向きＵ字状に形成された什器部固定部材３０Ｄが嵌め込まれている。什器部固定部材３０Ｄは、互いに平行に配置された側部プレート部１３６，１３６と、側部プレート部１３６，１３６の上端どうしを一体に連結する連結プレート部１３７とを備えている。
　【００９３】
　什器下連結部材８１は、ソファー１００の座部１０２に設けられた支持プレート１０５に取り付けられる支持壁部８２と、支持壁部８２の端部から下方に向かって屈曲形成された屈曲壁部８３とを有している。
　【００９４】
　さらに、什器下連結部材８１は、屈曲壁部８３の端部から屈曲しパネル体１１の表皮材１４に沿って配置される上下壁部８４と、上下壁部８４の下端から屈曲しパネル体１１側の背面側に向かって伸びる下壁部８５とを有している。
　【００９５】
　さらに、什器下連結部材８１は、下壁部８５の端部からパネル体１１の前面側の側部プレート部１３６に沿って上方に向かって延びる上向き壁部８６と、上向き壁部８６の端部から対向する側部プレート部１３６に向かって屈曲する突出片８７とを有している。この突出片８７は、下側よりも上側の方が幅狭に形成されている。
　【００９６】
　什器下連結部材８１の支持壁部８２には、取付孔８２Ａが形成されている。この取付孔８２Ａに挿通されたネジ８２Ｚがソファー１００に設けられた支持プレート１０５の取付孔（不図示）に螺合されている。これにより、什器下連結部材８１は、ソファー１００に取り付けられている。
　【００９７】
　また、什器下連結部材８１において、上向き壁部８６は、パネル体１１の前面側の側部プレート部１３６に当接している。また、突出片８７の端部はパネル体１１の背面側の側部プレート部１３６に当接している。このようにして、上向き壁部８６及び突出片８７がパネル体１１の下部に設けられた什器部固定部材３０Ｄに嵌め込まれることで、上向き壁部８６及び突出片８７は、パネル体１１の什器部固定部材３０Ｄを上下方向に係止している。
　【００９８】
　このように、パネル体１１は、什器上連結部材７１および什器下連結部材８１を介して、ソファー１００の背面に取り付けられている。
　【００９９】
　次に、上記のように構成されたソファー１００とパネル体１１とを連結する手順を説明する。
　【０１００】
　まず、隣接するソファー１００同士を図示しない連結手段により幅方向に連結する。各ソファー１００に設けられた支持プレート１０５の下方に什器下連結部材８１の支持壁部８２を配置する。そして、ネジ８２Ｚを、支持壁部８２の取付孔８２Ａに挿通して、支持プレート１０５の取付孔に螺合させる。これにより、什器下連結部材８１が、ソファー１００に取り付けられる。
　【０１０１】
　一方、隣接するパネル体１１間に什器上連結部材７１を配置する。パネル体１１の直線部固定部材３０Ｓの突条３４Ｂと連結プレート部３２との間に、什器上連結部材７１の突起係合部７２を配置する。この状態で、パネル体１１同士を上記に示す下側連結部５５及び上側連結部６１により連結する。
　【０１０２】
　次に、互いに連結された３枚のパネル体１１を、ソファー１００に対して相対的に下方に移動させる。この時、什器下連結部材８１の突出片８７の上側は下側よりも幅狭に形成されているため、什器下連結部材８１の上向き壁部８６及び突出片８７はパネル体１１の下端部に設けられた什器部固定部材３０Ｄ内に容易に入る。そして、上向き壁部８６及び突出片８７の上端が、什器部固定部材３０Ｄの連結プレート部１３７に当接することで、パネル体１１の下方への移動が止まる。この状態で、什器下連結部材８１の上向き壁部８６及び突出片８７は、パネル体１１の下端部に設けられた什器部固定部材３０Ｄを係止している。
　【０１０３】
　この状態で、什器上連結部材７１の上壁部７７及び湾曲壁部７８が背凭れ部１０３の上端部を上下方向に係止する位置まで、什器上連結部材７１を下方に移動させる。
　【０１０４】
　なお、パネル体１１をソファー１００から取り外す際には、什器上連結部材７１を上方に移動させる。次に、パネル体１１を上方に移動させ、什器下連結部材８１とパネル体１１の什器部固定部材３０Ｄとの係止を解除すればよい。
　【０１０５】
（カウンターとパネル体との連結構造）
　次に、カウンター２００とパネル体１１との連結構造について説明する。
　図２０は、カウンター２００とパネル体１１との連結部分の構造を示す側面図である。図２１は、ソファーシステム１の後面図である。図２２は、カウンター２００とパネル体１１との連結部分の上部の構造のうち、隣接配置された複数のパネル体１１の端部の断面図である。図２３は、カウンター２００とパネル体１１との連結部分の上部の構造のうち、隣接配置された複数のパネル体１１の中間部分の断面図である。
　【０１０６】
　図２０から図２３に示すように、カウンター２００の上部とパネル体１１の上部とはカウンター上連結部材（第二連結部材）２２０，２３０を介して連結されている。
　【０１０７】
　カウンター上連結部材２２０は、３枚配置されたパネル体１１の左端及び右端に設けられている。３枚配置されたパネル体１１の左端に設けられたカウンター上連結部材２２０は、直線部固定部材３０Ｓの突条３４Ａに沿って配置される突起係合部２２１と、突起係合部２２１の端部から屈曲し突条３４Ｂ側に沿って配置される側壁部２２２とを有している。さらに、カウンター上連結部材２２０は、側壁部２２２の端部からカウンター２００が配置される側（後方）に向かって屈曲して延びる湾曲壁部２２３と、湾曲壁部２２３の端部に連続して延びる延出壁部２２４と、延出壁部２２４からカウンター２００側（後方）に向かって延びる取付壁部２２５と、を有している。
　【０１０８】
　突起係合部２２１は、突条３４Ａにおける溝２５の基部２１ｅを向く面に沿って配置されている。また、突起係合部２２１の端部は、突条３４Ａが設けられた側の側部プレート部３１Ａに突き当たっている。
　【０１０９】
　湾曲壁部２２３は、パネル体１１の外周端部１３ｓに沿って配置されている。また、延出壁部２２４は、カウンター２００が配置される側のパネル体１１の表皮材１４に沿って配置されている。
　【０１１０】
　側壁部２２２おいて、突条３４Ｂが設けられた側の側部プレート部３１Ｂを向く面には、緩衝部２２２Ａが設けられている。緩衝部２２２Ａは、側部プレート部３１Ｂに向かって凸となる形状とされるとともに、側部プレート部３１Ｂに当接している。緩衝部２２２Ａとして、ゴム等の樹脂を採用することができる。ここで、カウンター上連結部材２２０に対してカウンター２００側への力が作用した場合には、側壁部２２２には緩衝部２２２Ａがあるため、側壁部２２２の側部プレート部３１Ｂへの接触、衝突を抑制することができる。これにより、側壁部２２２及び側部プレート部３１Ｂの破損が抑制される。
　【０１１１】
　突起係合部２２１は突条３４Ａに当接しているため、カウンター上連結部材２２０は溝２５から抜ける方向の移動が規制される。また、突起係合部２２１の端部が側部プレート部３１Ａに突き当たっているため、カウンター上連結部材２２０はカウンター２００側と反対側（ソファー１００側）への移動が規制されている。また、側壁部２２２に設けられた緩衝部２２２Ａは側部プレート部３１Ｂに当接しているため、カウンター上連結部材２２０はカウンター２００側への移動が規制されている。このようにして、カウンター上連結部材２２０は、溝２５に配置された直線部固定部材３０Ｓに取り付けられている。
　【０１１２】
　取付壁部２２５には、左右方向に貫通する取付孔２２５Ａが複数形成されている。この取付孔２２５Ａから挿通された螺子２２５Ｚが、天板支持杆２０２に形成された取付孔２０２Ｂに螺合している。これにより、カウンター上連結部材２２０はカウンター２００の上部に取り付けられている。
　なお、３枚のパネル体１１の右端に設けられたカウンター上連結部材２２０は、上記に示すカウンター上連結部材２２０を左右反転した構成であり、説明を省略する。
　【０１１３】
　図２３に示すように、カウンター上連結部材２３０は、３枚配置されたパネル体１１同士の間に設けられている。なお、カウンター上連結部材２３０の説明において、カウンター上連結部材２２０の構成と同様の構成については、同じ符号を付して説明を省略する。
　【０１１４】
　カウンター上連結部材２３０は、一方のパネル体１１の直線部固定部材３０Ｓの突条３４Ａに沿って配置される突起係合部２２１と、側壁部２２２と、を有している。さらに、カウンター上連結部材２３０は、側壁部２２２の端部から屈曲して、隣接するパネル体１１の外周端部１３ｓの間からカウンター２００が配置される側（後方）に向かって延びる延出壁部２３１と、延出壁部２３１の端部から支持脚２０１に沿って屈曲する屈曲壁部２３２と、屈曲壁部２３２の端部から後方に向かって延び、天板支持杆２０２に連結される取付壁部２３３と、を有している。
　【０１１５】
　このようにして、カウンター２００の上部は、カウンター上連結部材２２０，２３０を介してパネル体１１の上部に連結されている。
　【０１１６】
　図２４は、カウンター２００とパネル体１１との連結部分の下部の構造のうち、隣接配置された複数のパネル体１１の端部の断面図である。図２５は、カウンター２００とパネル体１１との連結部分の下部の構造のうち、隣接配置された複数のパネル体１１の中間部分の断面図である。
　【０１１７】
　図２４、図２５に示すように、カウンター２００の下部とパネル体１１の下部とはカウンター下連結部材（第二連結部材）２４０，２５０を介して連結されている。
　【０１１８】
　カウンター下連結部材２４０は、３枚配置されたパネル体１１の左端及び右端に設けられている。なお、カウンター下連結部材２４０の説明において、カウンター上連結部材２２０，２３０の構成と同様の構成については、同じ符号を付して説明を省略する。
　【０１１９】
　３枚配置されたパネル体１１の左端に設けられたカウンター下連結部材２４０は、一方のパネル体１１の支持脚体５０（図４参照。以下同じ。）の側部支持部５２（図４参照。以下同じ。）に沿って配置される取付壁部２４１と、取付壁部２４１の端部から屈曲して配置される側壁部２４２と、湾曲壁部２２３と、延出壁部２２４と、取付壁部２２５と、を有している。
　【０１２０】
　取付壁部２４１には、上下方向に離間して一対の螺子孔２４１Ａが形成されている。この螺子孔２４１Ａは、支持脚体５０の側部支持部５２に形成されたボルト挿通孔５４Ａ（図４参照。以下同じ。）及び溝２５の基部２１ｅに形成された雌ネジ孔部２９Ａと対応する位置に形成されている。
　【０１２１】
　カウンター下連結部材２４０の螺子孔２４１Ａに挿通された螺子２４１Ｚは、支持脚体５０の取付孔５４Ａに挿通されるとともに、溝２５の基部２１ｅの雌ネジ孔部２９Ａに螺合されている。これにより、カウンター下連結部材２４０は、溝２５に形成された基部２１ｅに取り付けられている。
　【０１２２】
　また、カウンター下連結部材２４０の取付壁部２２５の取付孔２２５Ａから挿通された螺子２２５Ｚが、前後杆２０３に形成された取付孔２０３Ｂに螺合している。これにより、カウンター下連結部材２４０はカウンター２００（図２０参照）の下部に取り付けられている。
　なお、３枚のパネル体１１の右端に設けられたカウンター下連結部材２４０は、上記に示すカウンター下連結部材２４０を左右反転した構成であり、説明を省略する。
　【０１２３】
　カウンター下連結部材２５０は、３枚配置されたパネル体１１同士の間に設けられている。なお、カウンター下連結部材２５０の説明において、カウンター上連結部材２２０，２３０及びカウンター下連結部材２５０の構成と同様の構成については、同じ符号を付して説明を省略する。
　【０１２４】
　カウンター下連結部材２５０は、一方のパネル体１１の側部支持部５２に沿って配置される取付壁部２４１、側壁部２４２と、延出壁部２３１と、屈曲壁部２３２と、前後杆２０３に連結される取付壁部２３３と、を有している。
　【０１２５】
　このようにして、カウンター２００（図２０参照）の下部は、カウンター下連結部材２４０，２５０を介してパネル体１１の下部に連結されている。
　【０１２６】
　パネル体１１とソファー１００及びカウンター２００とが連結された状態において、図１，２に示すように、ソファー１００の背凭れ部１０３の後面１０３Ａとパネル体１１の前面１１Ｂとは、当接している。一方、カウンター２００の天板２０５の前端２０５Ａとパネル体１１の後面１１Ａとの間には、隙間Ｍ１が形成されている。
　【０１２７】
　また、ソファー１００とカウンター２００との間に設けられたパネル体１１は、ソファー１００の上部からカウンター２００の天板２０５の上方に突出するように設けられている。換言すると、着座空間Ｌ１と立位空間Ｌ２とを区画するパネル体１１は、その上端１１Ｔが、カウンター２００の天板２０５の上面２０５Ｔよりも上方に設けられている。
　【０１２８】
　また、ソファーシステム１において、パネル体１１により前方の空間であってソファーセット１０が配置された空間が、着座空間Ｌ１とされている。また、パネル体１１より後方の空間であってカウンター２００が配置された空間が、立位空間Ｌ２とされている。このように、パネル体１１により、着座空間Ｌ１と立位空間Ｌ２とが区画されている。
　【０１２９】
　このように構成されたソファーシステム１では、図２に示すように、利用者Ｒ１は、着座空間Ｌ１に配置されたソファー１００に着座して前方にあるスクリーンＳに映し出される映像を見ることができる。また、利用者Ｒ２は、立位空間Ｌ２に配置されたカウンター２００を利用して執務をすることができる。例えば、利用者Ｒ２は、カウンター２００の天板２０５に載置した電子機器Ｄを操作しつつ、前方にあるスクリーンＳの映像を見ることができる。つまり、ソファーシステム１では着座空間Ｌ１を利用する利用者Ｒ１と立位空間Ｌ２を利用する利用者Ｒ２とに対応することができるため、多くの利用者Ｒ１，Ｒ２の執務に容易に対応することができる。
　【０１３０】
　また、着座空間Ｌ１と立位空間Ｌ２とを区画するパネル体１１は、その上端１１Ｔが、カウンター２００の天板２０５の上面２０５Ｔよりも上方に設けられている。よって、カウンター２００に載置された物品（不図示。以下同じ。）がソファー１００側（前方）に移動しても、物品の移動がパネル体１１により抑制されるため、物品が誤ってソファー１００側に落下することが抑制される。よって、カウンター２００の利用者Ｒ２にとって、使い勝手を良好とすることができる。
　【０１３１】
　また、カウンター２００の天板２０５の前端２０５Ａとパネル体１１の後面１１Ａとの間には、隙間Ｍ１が形成されているため、利用者Ｒ２は、カウンター２００の天板２０５上に物品を載置する際には、隙間Ｍ１側から離間した場所、つまり天板２０５の後側に物品を載置する。よって、利用者Ｒ１から天板２０５上に載置した物品までの距離を確保することができ、利用者Ｒ１が意図せず物品に接触して、物品を落下させてしまうことを防止することができる。
　【０１３２】
　さらに、カウンター２００の天板２０５に載置した電子機器Ｄの配線（不図示。以下同じ。）を、天板２０５の前端２０５Ａから隙間Ｍ１を通して下方に配置することができるため、配線の露出を抑えることができる。
　【０１３３】
　また、利用者Ｒ２が電子機器Ｄを使用する際に、電子機器ＤのキーボードＤ１を操作する音、電子機器Ｄのファン（不図示）の音、電子機器Ｄの排熱等の利用者Ｒ２及び利用者Ｒ２が使用する機器から生じる音、振動、熱が発生する。本発明では、隙間Ｍ１を設けることにより、これらの音、振動、熱などが利用者Ｒ１側に伝達されることが抑制されるため、利用者Ｒ１は快適な環境で執務をすることができる。
　【０１３４】
　また、着座空間Ｌ１と立位空間Ｌ２とを区画するパネル体１１は、パネル状に形成され、その厚みを抑えることができるため、ソファー１００とカウンター２００とを近接させつつ区画することができる。よって、ソファーシステム１をコンパクトな構成とすることができる。
　【０１３５】
　また、什器上連結部材７１、什器下連結部材８１、カウンター上連結部材２２０，２３０及びカウンター下連結部材２４０，２５０がパネル体１１に形成された溝２５に取り付けられることで、パネル体１１とカウンター２００及びソファー１００とは連結される。什器上連結部材７１、什器下連結部材８１、カウンター上連結部材２２０，２３０及びカウンター下連結部材２４０，２５０が取り付けられる溝２５は、パネル体１１の外周端部に沿ってパネル体１１の内方に向けて凹むように形成されているため目立つことがない。よって、外観を良好とすることができる。
　【０１３６】
　また、平面視において、着座空間Ｌ１は、複数のパネル体１１が立位空間Ｌ２側に向かって膨らむように隣接配置されて形成されている。よって、着座空間Ｌ１は複数のパネル体１１により包まれるようにして形成されるため、着座空間Ｌ１の独立性、適度な閉塞感を確保することができる。
　【０１３７】
　また、利用者Ｒ１が振り返ってカウンター２００の天板２０５上を見ようとしても、パネル体１１により、利用者Ｒ２の手元が見られることはない。よって、利用者Ｒ２は利用者Ｒ１の視線を感じずに作業することができるため、利用者Ｒ２の作業性を良好とすることができる。
　【０１３８】
　また、利用者Ｒ２は、カウンター２００に対して立位姿勢で作業するのみならず、カウンター用チェアー２１０に着座して作業することもできる。
　【０１３９】
　さらに、図２に破線で示すように、パネル体１１の上部に上部パネル１１Ｐを設けることにより、利用者Ｒ２の視角Ｔ１に利用者Ｒ１が入らない。よって、利用者Ｒ２はスクリーンＳを見る際に利用者Ｒ１が邪魔にならないとともに、利用者Ｒ１が振り返っても利用者Ｒ２は利用者Ｒ１に見られることがない。よって、利用者Ｒ１，Ｒ２にとって良好な環境を提供することができる。なお、上部パネル１１Ｐを設けずに、パネル体１１を利用者Ｒ２の視角Ｔ１に利用者Ｒ１が入らない高さまで設ける構成であってもよい。
　【０１４０】
　これ以外にも、本発明の主旨を逸脱しない限り、上記実施の形態で挙げた構成を取捨選択したり、他の構成に適宜変更したりすることが可能である。
　【０１４１】
　例えば、背凭れ部１０３及びクッション１０４を設けずに、パネル体１１を背凭れとして機能させる構成であってもよい。この場合には、パネル体１１が背凭れを兼ねているため、部品点数を抑えることができる。
　【０１４２】
　また、上記に示す実施形態においては、区画部は隣接配置された３枚のパネル体１１により構成されているが、本発明はこれに限られない。例えば、区画部は１，２枚または４枚以上のパネル体１１により構成されていてもよい。さらには、区画部が、パネル状に形成された部材ではなく、前後方向にパネル体１１よりも厚みのある棚等の什器により構成されていてもよい。
　【０１４３】
　また、上記に示す実施形態においては、３枚のパネル体１１は、平面視において、立位空間Ｌ２側に膨らむように配置されているが、本発明はこれに限られない。例えば、平面視において、パネル体１１が直線状に配置されていてもよく、あるいは着座空間Ｌ１側に膨らむように配置されていてもよい。
　【０１４４】
　また、上記に示す実施形態においては、区画部を構成する３枚のパネル体は、床面からカウンター２００の天板２０５の上方にわたって配置されているが、本発明はこれに限られない。例えば、区画部が、椅子の上部から天板の上方にわたって少なくとも配置されていればよく、ソファー１００の背凭れ部１０３の上部から延びるように構成されていてもよい。
　【０１４５】
　また、上記に示す実施形態においては、カウンター２００の天板２０５の前端２０５Ａとパネル体１１の後面１１Ａとの間には、隙間Ｍ１が形成されているが、本発明はこれに限られない。隙間Ｍ１が形成されずに、カウンター２００の天板２０５の前端２０５Ａがパネル体１１の後面１１Ａに当接する構成であってもよい。この場合には、椅子システムを前後方向にコンパクトな構成とすることができる。
　【符号の説明】
　【０１４６】
１　ソファーシステム
１１　パネル体（区画部）
１２　パネル基材
１３　クッション材
１３ｅ，１４ｅ　外周端部
１３ｔ　突出部
１４　表皮材
１５　芯材
１５ｈ　孔
１６　貫通孔
１６ｖ　角部
１６ｆ　内周面
１７　凹部
１８　ベースシート
２０　フレーム
２５　溝
３０　固定部材
３０Ｃ　コーナー部固定部材
３０Ｄ　什器部固定部材
３０Ｓ　直線部固定部材
５０　支持脚体
５１　下部支持部
５２　側部支持部
５３　支持脚部
５５　下側連結部
５７　スリット
６１　上側連結部
７１　什器上連結部材（第一連結部材）
７２　突起係合部
８１　什器下連結部材（第一連結部材）
１００　ソファー（椅子）
１０１　脚部
１０２　座部
１０３　背凭れ部
１０５　支持プレート
２００　カウンター
２２０，２３０　カウンター上連結部材（第二連結部材）
２４０，２５０　カウンター下連結部材（第二連結部材）
Ｋ　間隙部
Ｌ１　着座空間
Ｌ２　立位空間
Ｍ１　隙間
Ｓ１　空間
Ｓ２　空間
（５７）【特許請求の範囲】
　【請求項１】
　
床面上に配置される脚部に支持された座部に連結されて上方に向かって延びる背凭れ部を設けた
　前記椅子の背面側に
、床面上から立設された支持脚に支持される天板が前記背凭れ部より上方に突出するようにして
　前記椅子と前記カウンターとの間に、前記椅子
の背凭れ部
、支持脚体を床面に設置することで床面上に立設させるパネル体からなる
　前記区画部は、前記椅子の上部から前記カウンターの天板の上方に突出するように設けられるとともに、前記椅子に着座する着座者の背を支持する背凭れ部の後方に配置され
、前記椅子と第一連結部材により、また前記カウンターと第二連結部材によりそれぞれ連結され
　【請求項２】
　
床面上に配置される脚部に支持された座部に連結されて上方に向かって延びる背凭れ部を設けた
　前記椅子の背面側に
、床面上から立設された支持脚に支持される天板が前記背凭れ部より上方に突出するようにして
　前記椅子と前記カウンターとの間に、前記椅子
の背凭れ部
、支持脚体を床面に設置することで床面上に立設させるパネル体からなる
　前記区画部は、前記椅子の上部から前記カウンターの天板の上方に突出するように設けられ
るとともに、前記椅子に着座する着座者の背を支持する背凭れ部の後方に配置され、
　前記
カウンターの支持脚と
前記区画部と第二連結部材により連結されることで、
　【請求項３】
（削除）
　【請求項４】
（削除）
　【請求項５】
（削除）